(57)【要約】【課題】情報記録媒体の記録コンテンツの出力制御処理や、表示可否メッセージ等の出力処理を正確かつ効率的に実行する装置、方法を提供する。【解決手段】情報記録媒体の記録コンテンツ中、表示装置に最初に出力する再生開始時出力が４Ｋコンテンツか２Ｋコンテンツかを示すコンテンツ情報Ａと、情報記録媒体の記録コンテンツ中に４Ｋコンテンツを含むか否かを示すコンテンツ情報Ｂを情報記録媒体から読み取る。さらに。表示装置が４Ｋ対応か否かを示す４Ｋ表示可否情報を表示装置から受領してレジスタに格納する。これらのコンテンツ情報Ａ、Ｂ、および４Ｋ表示可否情報を適用することで、コンテンツの出力制御処理や、表示可否メッセージ出力処理を正確にかつ効率的に実行する。【選択図】図５
2015022775.tif 000002
【特許請求の範囲】
【請求項１】
情報記録媒体の記録コンテンツの再生処理を実行するデータ処理部を有し、
前記データ処理部は、
前記情報記録媒体の記録コンテンツ中、表示装置に最初に出力する再生開始時出力が４Ｋコンテンツであるか２Ｋコンテンツであるかを示すコンテンツ情報Ａを前記情報記録媒体から読み取り、
コンテンツ情報Ａの示す再生開始時出力態様に応じて、表示装置に対するデータ出力設定処理を実行する情報処理装置。
【請求項２】
前記データ処理部は、
前記コンテンツ情報Ａが、４Ｋコンテンツの再生開始時出力を有することを示す場合、表示装置に対するデータ出力設定を４Ｋコンテンツの出力設定とし、
前記コンテンツ情報Ａが、２Ｋコンテンツの再生開始時出力を有することを示す場合、表示装置に対するデータ出力設定を２Ｋコンテンツの出力設定とする請求項１に記載の情報処理装置。
【請求項３】
前記データ処理部は、
前記情報記録媒体の記録コンテンツ中に４Ｋコンテンツを含むか否かを示すコンテンツ情報Ｂを前記情報記録媒体から読み取り、
コンテンツ情報Ｂの設定に応じたメッセージを前記表示装置に出力する請求項１に記載の情報処理装置。
【請求項４】
前記データ処理部は、
前記表示装置が４Ｋコンテンツを表示可能な４Ｋ対応表示装置であるか否かの確認処理を実行し、該確認処理の結果と前記コンテンツ情報Ｂの組み合わせに応じたメッセージを選択して前記表示装置に出力する請求項３に記載の情報処理装置。
【請求項５】
前記データ処理部は、
前記表示装置から表示装置が４Ｋコンテンツを表示可能な４Ｋ対応表示装置であるか否かを示す４Ｋ表示可否情報を取得して記憶部に格納する処理を実行し、
前記記憶部に格納した４Ｋ表示可否情報を取得して前記確認処理を実行する請求項４に記載の情報処理装置。
【請求項６】
情報記録媒体の記録コンテンツの再生処理を実行するデータ処理部を有し、
前記データ処理部は、
情報記録媒体の記録コンテンツの表示処理を実行する表示装置から該表示装置が４Ｋコンテンツを表示可能な４Ｋ対応表示装置であるか否かを示す４Ｋ表示可否情報を取得して記憶部に格納し、
前記記憶部に格納した４Ｋ表示可否情報に従って、表示装置に対するデータ出力設定の変更処理と、メッセージ出力処理を実行する情報処理装置。
【請求項７】
前記データ処理部は、
前記４Ｋ表示可否情報を、再生制御バラメータを格納するレジスタに格納する請求項６に記載の情報処理装置。
【請求項８】
前記データ処理部は、
前記情報記録媒体の記録コンテンツ中、表示装置に最初に出力する再生開始時出力が４Ｋコンテンツであるか２Ｋコンテンツであるかを示すコンテンツ情報Ａを前記情報記録媒体から読み取り、
前記４Ｋ表示可否情報と、前記コンテンツ情報Ａの示す再生開始時出力態様に応じて、表示装置に対するデータ出力設定処理を実行する請求項６に記載の情報処理装置。
【請求項９】
前記データ処理部は、
前記情報記録媒体の記録コンテンツ中に４Ｋコンテンツを含むか否かを示すコンテンツ情報Ｂを前記情報記録媒体から読み取り、
前記４Ｋ表示可否情報と、前記コンテンツ情報Ｂの設定に応じたメッセージを前記表示装置に出力する請求項６に記載の情報処理装置。
【請求項１０】
情報記録媒体の記録コンテンツの再生処理を実行するデータ処理部を有し、
前記データ処理部は、
前記情報記録媒体から、情報記録媒体の記録コンテンツのダウンコンバート処理を許容するか否かを示すダウンコンバート許容情報を取得し、取得したダウンコンバート許容情報に応じて、表示装置に対する出力コンテンツのダウンコンバート処理を実行するか否かを決定する情報処理装置。
【請求項１１】
前記データ処理部は、
前記表示装置が４Ｋコンテンツを表示可能な４Ｋ対応表示装置であるか否かの確認処理を実行し、該確認処理の結果と前記ダウンコンバート許容情報の設定に応じて、表示装置に対する出力コンテンツのダウンコンバート処理を実行するか否かを決定する請求項１０に記載の情報処理装置。
【請求項１２】
４Ｋコンテンツまたは２Ｋコンテンツの少なくともいずれかのコンテンツと、
記録コンテンツ中、表示装置に最初に出力する再生開始時出力が４Ｋコンテンツであるか２Ｋコンテンツであるかを示すコンテンツ情報Ａを記録情報として有する情報記録媒体。
【請求項１３】
４Ｋコンテンツまたは２Ｋコンテンツの少なくともいずれかのコンテンツと、
記録コンテンツ中に４Ｋコンテンツが含まれるか否かを示すコンテンツ情報Ｂを記録情報として有する情報記録媒体。
【請求項１４】
４Ｋコンテンツまたは２Ｋコンテンツの少なくともいずれかのコンテンツと、
記録コンテンツ中の４Ｋコンテンツに関する再生制御情報として、ダウンコンバート表示処理を許容するか否かを示すダウンコンバート許容情報を記録情報として有する情報記録媒体。
【請求項１５】
情報処理装置において実行する情報処理方法であり、
データ処理部が、情報記録媒体の記録コンテンツ中、表示装置に最初に出力する再生開始時出力が４Ｋコンテンツであるか２Ｋコンテンツであるかを示すコンテンツ情報Ａを前記情報記録媒体から読み取り、
コンテンツ情報Ａの示す再生開始時出力態様に応じて、表示装置に対するデータ出力設定処理を実行する情報処理方法。
【請求項１６】
情報処理装置において実行する情報処理方法であり、
データ処理部が、情報記録媒体の記録コンテンツの表示処理を実行する表示装置から該表示装置が４Ｋコンテンツを表示可能な４Ｋ対応表示装置であるか否かを示す４Ｋ表示可否情報を取得して記憶部に格納し、
前記記憶部に格納した４Ｋ表示可否情報に従って、表示装置に対するデータ出力設定の変更処理と、メッセージ出力処理を実行する情報処理方法。
【請求項１７】
情報処理装置において実行する情報処理方法であり、
データ処理部が、情報記録媒体から情報記録媒体の記録コンテンツのダウンコンバート処理を許容するか否かを示すダウンコンバート許容情報を取得し、取得したダウンコンバート許容情報に応じて、表示装置に対する出力コンテンツのダウンコンバート処理を実行するか否かを決定する情報処理方法。
【請求項１８】
情報処理装置において情報処理を実行させるプログラムであり、
データ処理部に、情報記録媒体の記録コンテンツ中、表示装置に最初に出力する再生開始時出力が４Ｋコンテンツであるか２Ｋコンテンツであるかを示すコンテンツ情報Ａを前記情報記録媒体から読み取る処理と、
コンテンツ情報Ａの示す再生開始時出力態様に応じて、表示装置に対するデータ出力設定処理を実行させるプログラム。
【請求項１９】
情報処理装置において情報処理を実行させるプログラムであり、
データ処理部に、情報記録媒体の記録コンテンツの表示処理を実行する表示装置から該表示装置が４Ｋコンテンツを表示可能な４Ｋ対応表示装置であるか否かを示す４Ｋ表示可否情報を取得して記憶部に格納する処理と、
前記記憶部に格納した４Ｋ表示可否情報に従って、表示装置に対するデータ出力設定の変更処理と、メッセージ出力処理を実行させるプログラム。
【請求項２０】
情報処理装置において情報処理を実行させるプログラムであり、
データ処理部に、情報記録媒体から情報記録媒体の記録コンテンツのダウンコンバート処理を許容するか否かを示すダウンコンバート許容情報を取得する処理と、
取得したダウンコンバート許容情報に応じて、表示装置に対する出力コンテンツのダウンコンバート処理を実行するか否かを決定する処理を実行させるプログラム。
【発明の詳細な説明】
【技術分野】
【０００１】
本開示は、情報処理装置、情報記録媒体、および情報処理方法、並びにプログラムに関する。特に、高解像度画像の表示制御を可能とする情報処理装置、情報記録媒体、および情報処理方法、並びにプログラムに関する。
【背景技術】
【０００２】
テレビ等の表示装置は、表示部の画素数によって表示可能な画像の解像度が規定される。高解像度画像を表示するためには、表示部の画素数を増加させることが必要であり、近年、画素数を増加させた表示装置の開発が盛んに行なわれている。
【０００３】
例えば、現在、広く普及しているハイビジョンテレビは、水平画素数×垂直画素数＝１９２０×１０８０の画素数を持ち、ＨＤ（Ｈｉｇｈ  Ｄｅｆｉｎｉｔｉｏｎ）画像（ＨＤコンテンツ）の表示が可能である。
さらに、昨今、ＨＤ画像の４倍の画素、すなわち、例えば、水平画素数×垂直画素数＝４０９６×２１６０の画素からなるいわゆる４Ｋ規格（４Ｋフォーマット）に従った画像を表示可能とした４Ｋテレビが開発され、現在、普及段階にある。
４Ｋテレビは、水平画素数×垂直画素数＝４０９６×２１６０の表示部を有しており、ＨＤ画像の４倍の解像度の画像（４Ｋ画像（４Ｋコンテンツ））を表示可能である。
【０００４】
しかし、現時点では映画等のコンテンツの多くはＨＤコンテンツとして制作されており、４Ｋ規格（４Ｋフォーマット）に従った４Ｋコンテンツの数は多くない。
すなわち現状においては、以下の２種類の異なる解像度のコンテンツが混在した状態にある。
（ａ）水平画素数×垂直画素数＝１９２０×１０８０の画素数を持つＨＤコンテンツ、
（ｂ）水平画素数×垂直画素数＝４０９６×２１６０の画素数を持つ４Ｋコンテンツ、
これらのコンテンツが混在した状態にある。
【０００５】
なお、４０９６×２１６０の画素数を持つコンテンツを４Ｋコンテンツと呼ぶのに対して、１９２０×１０８０の画素数を持つＨＤコンテンツは２Ｋコンテンツと呼ばれる。
これは、水平画素数が４Ｋコンテンツは４０９６≒４Ｋであるのに対して、ＨＤコンテンツは１９２０≒２Ｋであることに由来する。
なお、４Ｋコンテンツや４Ｋテレビの画素数は上記の４０９６×２１６０に限定されるものではなく、例えば３８４０×２１６０等、水平画素数がほぼ４０００前後の様々な構成が提案されている。本明細書において説明する４Ｋコンテンツや４Ｋテレビは、水平画素数がほぼ４０００前後の画素を有するコンテンツやテレビを含むものである。
【０００６】
ＨＤコンテンツ（２Ｋコンテンツ）や４Ｋコンテンツ等の大容量コンテンツを格納可能なメディア（情報記録媒体）として、例えばＢＤ（Ｂｌｕ−ｒａｙ（登録商標）  Ｄｉｓｃ）等のディスク型メディアや、フラッシュメモリなどがある。
ＢＤ等のメディアに格納されたコンテンツを再生する場合、ＢＤプレーヤ等のメディア再生装置が利用される。例えばテレビに接続されたＢＤプレーヤにメディアを装着して再生を行なう。なお、ＢＤプレーヤを適用したコンテンツ再生処理については、例えば特許文献１（特開２０１１−２３０７０号公報）等に記載がある。
【先行技術文献】
【特許文献】
【０００７】
【特許文献１】特開２０１１−２３０７０号公報
【発明の概要】
【発明が解決しようとする課題】
【０００８】
前述したように、現状においては２Ｋ（ＨＤ）コンテンツと４Ｋコンテンツが混在し、さらに、再生装置（プレーヤ）や表示装置（ＴＶ等）も４Ｋコンテンツを再生表示できる４Ｋ対応装置と、４Ｋコンテンツの処理ができず２Ｋコンテンツのみ処理可能な４Ｋ非対応装置が混在している状況にある。
【０００９】
すなわち、現在は、以下のような状況にある。
（１）ディスク（ＢＤ）等のメディアの格納コンテンツに４Ｋコンテンツと２Ｋ（ＨＤ）コンテンツが混在する。
（２）２Ｋ（ＨＤ）コンテンツと４Ｋコンテンツの双方が再生可能な４Ｋ対応再生装置（プレーヤ）と、２Ｋコンテンツのみ再生可能な４Ｋ非対応再生装置（プレーヤ）が混在する。
（３）テレビ等の表示装置は、４Ｋコンテンツを表示可能な４Ｋ対応表示装置と、４Ｋコンテンツを表示できない４Ｋ非対応表示装置が混在する。
【００１０】
このような状況において、ＢＤプレーヤ等の再生装置は、装着メディアから選択した再生コンテンツが２Ｋ（ＨＤ）コンテンンツであるか、４Ｋコンテンツであるかを判別し、さらに、接続されたテレビ等の表示装置が４Ｋコンテンツを表示可能な４Ｋ対応表示装置であるか否かを判別して、表示装置に対する出力を４Ｋとするか２Ｋとするか等の制御を行なうことが必要となる。さらに、４Ｋコンテンツを表示できない４Ｋ非対応表示装置が接続されている場合は、視聴者（ユーザ）に対してコンテンツ表示可否の通知等を行うことが要請されている。
しかし、現状では、コンテンツおよび表示装置の識別処理に基づく最適な再生制御やユーザに対する通知処理について具体的な提案がなされていない。
【００１１】
本開示は、例えば上記問題点に鑑みてなされたものであり、解像度の異なるコンテンツの最適な再生制御を実行する情報処理装置、情報記録媒体、および情報処理方法、並びにプログラムを提供することを目的とする。
【課題を解決するための手段】
【００１２】
本開示の第１の側面は、
情報記録媒体の記録コンテンツの再生処理を実行するデータ処理部を有し、
前記データ処理部は、
前記情報記録媒体の記録コンテンツ中、表示装置に最初に出力する再生開始時出力が４Ｋコンテンツであるか２Ｋコンテンツであるかを示すコンテンツ情報Ａを前記情報記録媒体から読み取り、
コンテンツ情報Ａの示す再生開始時出力態様に応じて、表示装置に対するデータ出力設定処理を実行する情報処理装置にある。
【００１３】
さらに、本開示の情報処理装置の一実施態様において、前記データ処理部は、前記コンテンツ情報Ａが、４Ｋコンテンツの再生開始時出力を有することを示す場合、表示装置に対するデータ出力設定を４Ｋコンテンツの出力設定とし、前記コンテンツ情報Ａが、２Ｋコンテンツの再生開始時出力を有することを示す場合、表示装置に対するデータ出力設定を２Ｋコンテンツの出力設定とする。
【００１４】
さらに、本開示の情報処理装置の一実施態様において、前記データ処理部は、前記情報記録媒体の記録コンテンツ中に４Ｋコンテンツを含むか否かを示すコンテンツ情報Ｂを前記情報記録媒体から読み取り、コンテンツ情報Ｂの設定に応じたメッセージを前記表示装置に出力する。
【００１５】
さらに、本開示の情報処理装置の一実施態様において、前記データ処理部は、前記表示装置が４Ｋコンテンツを表示可能な４Ｋ対応表示装置であるか否かの確認処理を実行し、該確認処理の結果と前記コンテンツ情報Ｂの組み合わせに応じたメッセージを選択して前記表示装置に出力する。
【００１６】
さらに、本開示の情報処理装置の一実施態様において、前記データ処理部は、前記表示装置から表示装置が４Ｋコンテンツを表示可能な４Ｋ対応表示装置であるか否かを示す４Ｋ表示可否情報を取得して記憶部に格納する処理を実行し、前記記憶部に格納した４Ｋ表示可否情報を取得して前記確認処理を実行する。
【００１７】
さらに、本開示の第２の側面は、
情報記録媒体の記録コンテンツの再生処理を実行するデータ処理部を有し、
前記データ処理部は、
情報記録媒体の記録コンテンツの表示処理を実行する表示装置から該表示装置が４Ｋコンテンツを表示可能な４Ｋ対応表示装置であるか否かを示す４Ｋ表示可否情報を取得して記憶部に格納し、
前記記憶部に格納した４Ｋ表示可否情報に従って、表示装置に対するデータ出力設定の変更処理と、メッセージ出力処理を実行する情報処理装置にある。
【００１８】
さらに、本開示の情報処理装置の一実施態様において、前記データ処理部は、前記４Ｋ表示可否情報を、再生制御バラメータを格納するレジスタに格納する。
【００１９】
さらに、本開示の情報処理装置の一実施態様において、前記データ処理部は、前記情報記録媒体の記録コンテンツ中、表示装置に最初に出力する再生開始時出力が４Ｋコンテンツであるか２Ｋコンテンツであるかを示すコンテンツ情報Ａを前記情報記録媒体から読み取り、前記４Ｋ表示可否情報と、前記コンテンツ情報Ａの示す再生開始時出力態様に応じて、表示装置に対するデータ出力設定処理を実行する。
【００２０】
さらに、本開示の情報処理装置の一実施態様において、前記データ処理部は、前記情報記録媒体の記録コンテンツ中に４Ｋコンテンツを含むか否かを示すコンテンツ情報Ｂを前記情報記録媒体から読み取り、前記４Ｋ表示可否情報と、前記コンテンツ情報Ｂの設定に応じたメッセージを前記表示装置に出力する。
【００２１】
さらに、本開示の第３の側面は、
情報記録媒体の記録コンテンツの再生処理を実行するデータ処理部を有し、
前記データ処理部は、
前記情報記録媒体から、情報記録媒体の記録コンテンツのダウンコンバート処理を許容するか否かを示すダウンコンバート許容情報を取得し、取得したダウンコンバート許容情報に応じて、表示装置に対する出力コンテンツのダウンコンバート処理を実行するか否かを決定する情報処理装置にある。
【００２２】
さらに、本開示の情報処理装置の一実施態様において、前記データ処理部は、前記表示装置が４Ｋコンテンツを表示可能な４Ｋ対応表示装置であるか否かの確認処理を実行し、該確認処理の結果と前記ダウンコンバート許容情報の設定に応じて、表示装置に対する出力コンテンツのダウンコンバート処理を実行するか否かを決定する。
【００２３】
さらに、本開示の第４の側面は、
４Ｋコンテンツまたは２Ｋコンテンツの少なくともいずれかのコンテンツと、
記録コンテンツ中、表示装置に最初に出力する再生開始時出力が４Ｋコンテンツであるか２Ｋコンテンツであるかを示すコンテンツ情報Ａを記録情報として有する情報記録媒体にある。
【００２４】
さらに、本開示の第５の側面は、
４Ｋコンテンツまたは２Ｋコンテンツの少なくともいずれかのコンテンツと、
記録コンテンツ中に４Ｋコンテンツが含まれるか否かを示すコンテンツ情報Ｂを記録情報として有する情報記録媒体にある。
【００２５】
さらに、本開示の第６の側面は、
４Ｋコンテンツまたは２Ｋコンテンツの少なくともいずれかのコンテンツと、
記録コンテンツ中の４Ｋコンテンツに関する再生制御情報として、ダウンコンバート表示処理を許容するか否かを示すダウンコンバート許容情報を記録情報として有する情報記録媒体にある。
【００２６】
さらに、本開示の第７の側面は、
情報処理装置において実行する情報処理方法であり、
データ処理部が、情報記録媒体の記録コンテンツ中、表示装置に最初に出力する再生開始時出力が４Ｋコンテンツであるか２Ｋコンテンツであるかを示すコンテンツ情報Ａを前記情報記録媒体から読み取り、
コンテンツ情報Ａの示す再生開始時出力態様に応じて、表示装置に対するデータ出力設定処理を実行する情報処理方法にある。
【００２７】
さらに、本開示の第８の側面は、
情報処理装置において実行する情報処理方法であり、
データ処理部が、情報記録媒体の記録コンテンツの表示処理を実行する表示装置から該表示装置が４Ｋコンテンツを表示可能な４Ｋ対応表示装置であるか否かを示す４Ｋ表示可否情報を取得して記憶部に格納し、
前記記憶部に格納した４Ｋ表示可否情報に従って、表示装置に対するデータ出力設定の変更処理と、メッセージ出力処理を実行する情報処理方法にある。
【００２８】
さらに、本開示の第９の側面は、
情報処理装置において実行する情報処理方法であり、
データ処理部が、情報記録媒体から情報記録媒体の記録コンテンツのダウンコンバート処理を許容するか否かを示すダウンコンバート許容情報を取得し、取得したダウンコンバート許容情報に応じて、表示装置に対する出力コンテンツのダウンコンバート処理を実行するか否かを決定する情報処理方法にある。
【００２９】
さらに、本開示の第１０の側面は、
情報処理装置において情報処理を実行させるプログラムであり、
データ処理部に、情報記録媒体の記録コンテンツ中、表示装置に最初に出力する再生開始時出力が４Ｋコンテンツであるか２Ｋコンテンツであるかを示すコンテンツ情報Ａを前記情報記録媒体から読み取る処理と、
コンテンツ情報Ａの示す再生開始時出力態様に応じて、表示装置に対するデータ出力設定処理を実行させるプログラムにある。
【００３０】
さらに、本開示の第１１の側面は、
情報処理装置において情報処理を実行させるプログラムであり、
データ処理部に、情報記録媒体の記録コンテンツの表示処理を実行する表示装置から該表示装置が４Ｋコンテンツを表示可能な４Ｋ対応表示装置であるか否かを示す４Ｋ表示可否情報を取得して記憶部に格納する処理と、
前記記憶部に格納した４Ｋ表示可否情報に従って、表示装置に対するデータ出力設定の変更処理と、メッセージ出力処理を実行させるプログラムにある。
【００３１】
さらに、本開示の第１２の側面は、
情報処理装置において情報処理を実行させるプログラムであり、
データ処理部に、情報記録媒体から情報記録媒体の記録コンテンツのダウンコンバート処理を許容するか否かを示すダウンコンバート許容情報を取得する処理と、
取得したダウンコンバート許容情報に応じて、表示装置に対する出力コンテンツのダウンコンバート処理を実行するか否かを決定する処理を実行させるプログラムにある。
【００３２】
なお、本開示のプログラムは、例えば、様々なプログラム・コードを実行可能な画像処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。
【００３３】
本開示のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００３４】
本開示の一実施例の構成によれば、情報記録媒体の記録コンテンツの出力制御処理や、表示可否メッセージ等の出力処理を正確かつ効率的に実行する装置、方法が実現される。
具体的には、例えば、情報記録媒体の記録コンテンツ中、表示装置に最初に出力する再生開始時出力が４Ｋコンテンツか２Ｋコンテンツかを示すコンテンツ情報Ａと、情報記録媒体の記録コンテンツ中に４Ｋコンテンツを含むか否かを示すコンテンツ情報Ｂを情報記録媒体から読み取る。さらに。表示装置が４Ｋ対応か否かを示す４Ｋ表示可否情報を表示装置から受領してレジスタに格納する。これらのコンテンツ情報Ａ、Ｂ、および４Ｋ表示可否情報を適用することで、コンテンツの出力制御処理や、表示可否メッセージ出力処理を正確にかつ効率的に実行することが可能となる。
なお、本明細書に記載された効果はあくまで例示であって限定されるものではなく、また付加的な効果があってもよい。
【図面の簡単な説明】
【００３５】
【図１】本開示の処理を実行するシステム構成例を示す図である。
【図２】コンテンツと、情報処理装置（プレーヤ）、表示装置の組み合わせに応じたコンテンツ表示処理態様について説明する図である。
【図３】情報記録媒体（ＢＤ）の格納データについて説明するシーケンス図である。
【図４】インデックステーブル中のコテンツ情報について説明する図である。
【図５】コンテンツ情報と表示装置との組み合わせに応じた処理について説明する図である。
【図６】コンテンツ情報と表示装置との組み合わせに応じたメッセージ表示処理について説明する図である。
【図７】情報処理装置（プレーヤ）内の記憶部として構成されるＰＳＲについて説明する図である。
【図８】情報処理装置（プレーヤ）内の記憶部（ＰＳＲ）に表示装置に関する４Ｋ表示可否情報を記録した例について説明する図である。
【図９】情報処理装置（プレーヤ）内の記憶部（ＰＳＲ）に表示装置に関する４Ｋ表示可否情報を記録した例について説明する図である。
【図１０】情報記録媒体に記録されたコンテンツ情報と記憶部に格納した表示装置に関する４Ｋ表示可否情報を利用した処理シーケンスについて説明するフローチャートを示す図である。
【図１１】ダウンコンバート表示処理を許容しない４Ｋコンテンツに対する処理について説明する図である。
【図１２】ダウンコンバート表示処理を許容する４Ｋコンテンツに対する処理について説明する図である。
【図１３】ダウンコンバート表示処理の許容情報に従ったコンテンツ表示処理のシーケンスについて説明するフローチャートを示す図である。
【図１４】ダウンコンバート表示処理の許容情報に従ったコンテンツ表示処理において、ユーザ（視聴者）に提示するメッセージの例について説明する図である。
【図１５】情報処理装置（プレーヤ）の構成例について説明する図である。
【発明を実施するための形態】
【００３６】
以下、図面を参照しながら本開示の情報処理装置、情報記録媒体、および情報処理方法、並びにプログラムの詳細について説明する。なお、説明は以下の項目に従って行う。
１．コンテンツ再生処理の概要について
２．情報記録媒体の格納コンテンツの構成例について
３．４Ｋコンテンツに関する識別情報の記録と利用処理について
４．表示装置の装置情報の取得格納処理と利用処理について
４−１．ＰＳＲ２３に４Ｋ表示可否情報を格納する例
４−２．ＰＳＲ２５に４Ｋ表示可否情報を格納する例
５．情報処理装置の実行する処理シーケンスについて
６．コンテンツ対応のダウンコンバート表示制御処理について
７．情報処理装置の構成例について
８．本開示の構成のまとめ
【００３７】
［１．コンテンツ再生処理の概要について］
まず、コンテンツ再生処理の概要について説明する。
図１は、本開示の処理を適用可能なコンテンツ再生処理システムの一構成例を示す図である。図１には、再生対象となるコンテンツを格納した記録メディアである情報記録媒体１０１と、情報記録媒体１０１を装着し、情報記録媒体１０１に格納されたコンテンツの再生処理を実行する情報処理装置（再生装置）１０２、情報処理装置（再生装置）１０２が情報記録媒体１０１から読み出した再生コンテンツを表示する表示装置１０４を示している。
【００３８】
さらに、情報処理装置（再生装置）１０２に対して操作情報を出力する操作部（リモコン）１０３、情報処理装置（再生装置）１０２と表示装置１０４間のデータ伝送を行う、例えばＨＤＭＩ（登録商標）ケーブル等の接続ケーブル１０５を示している。
【００３９】
図１に示す例では、コンテンツを格納した情報記録媒体１０１をＢＤ（Ｂｌｕ−ｒａｙ（登録商標）  Ｄｉｓｃ）とし、情報処理装置（再生装置）１０２をＢＤプレーヤとした例を示している。ただし、これらはその他の記録メディアと再生装置の組み合わせとしてもよい。
【００４０】
例えば、コンテンツ格納メディアである情報記録媒体１０１をフラッシュメモリとして、情報処理装置（再生装置）１０２をフラッシュメモリからのデータ読み出しを実行するメモリ再生装置の組み合わせとしてもよい。
【００４１】
情報記録媒体１０１には再生対象となるコンテンツが記録されている。記録コンテンツは、例えば以下のコンテンツである。
（ａ）水平画素数×垂直画素数＝１９２０×１０８０の画素数を持つ２Ｋコンテンツ（ＨＤコンテンツ）、
（ｂ）水平画素数×垂直画素数＝４０９６×２１６０の画素数を持つ４Ｋコンテンツ、
情報記録媒体１０１には、上記（ａ），（ｂ）のコンテンツのいずれか、あるいは上記（ａ），（ｂ）のコンテンツが混在して記録されている。
なお、実施例では、４Ｋコンテンツや４Ｋテレビを水平画素数×垂直画素数＝４０９６×２１６０である構成を代表例として説明するが、前述したように４Ｋコンテンツや４Ｋテレビは４０９６×２１６０に限らず、水平画素数がほぼ４０００前後の画素を持つ様々な構成が提案されている。本開示の構成はこれらの様々な画素数を持つ４Ｋコンテンツ、４Ｋテレビに適用可能である。
【００４２】
情報処理装置１０２は、２Ｋコンテンツ、４Ｋコンテンツのいずれも再生可能な４Ｋ対応プレーヤ、または、２Ｋコンテンツのみ再生可能で４Ｋコンテンツを再生できない４Ｋ非対応プレーヤである。
表示装置１０４は、４Ｋコンテンツの表示可能な４Ｋ対応表示装置、または２Ｋコンテンツのみ表示可能で４Ｋコンテンツを表示できない４Ｋ非対応表示装置のいずれかである。
【００４３】
このように、
（１）情報記録媒体１０１に格納されたコンテンツ、
（２）コンテンツ再生を実行する情報処理装置（プレーヤ）、
（３）コンテンツ表示を実行する表示装置（ディスプレイ）、
これらの組み合わせに応じた処理例について、図２を参照して説明する。
【００４４】
図２は、コンテンツと、再生装置、表示装置の組み合わせに応じたコンテンツ表示処理態様について説明する図である。
図２に示す表は、左から以下の各データを示している。
（ａ）コンテンツ再生を実行する情報処理装置［プレーヤ（Ｐｌａｙｅｒ）］１０２、
（ｂ）情報記録媒体１０１に格納されたコンテンツ（Ｃｏｎｔｅｎｔｓ）、
（ｃ）コンテンツ表示を行う表示装置［ディスプレイ（Ｄｉｓｐｌａｙ）］１０４、
（ｄ）表示装置１０４に表示されるコンテンツの表示態様、解像度、
（ｅ）コンテンツに対する処理、
【００４５】
（ａ）情報処理装置［プレーヤ（Ｐｌａｙｅｒ）］１０２の各欄に記載の２Ｋ、４Ｋは以下の意味を持つ。
２Ｋ：２Ｋコンテンツのみの再生が可能で４Ｋコンテンツの再生ができない４Ｋ非対応再生装置、
４Ｋ：２Ｋコンテンツ、４Ｋコンテンツの再生が可能な４Ｋ対応再生装置、
【００４６】
（ｂ）コンテンツ（Ｃｏｎｔｅｎｔｓ）欄に記載の２Ｋ、４Ｋは、以下の意味である。
２Ｋ：情報記録媒体１０１に記録された再生対象コンテンツが２Ｋコンテンツ、
４Ｋ：情報記録媒体１０１に記録された再生対象コンテンツが４Ｋコンテンツ、
【００４７】
（ｃ）表示装置［ディスプレイ（Ｄｉｓｐｌａｙ）］１０４の各欄に記載の２Ｋ、４Ｋは以下の意味を持つ。
２Ｋ：２Ｋコンテンツのみの表示が可能で４Ｋコンテンツの表示ができない４Ｋ非対応表示装置、
４Ｋ：２Ｋコンテンツ、４Ｋコンテンツの表示が可能な４Ｋ対応表示装置、
【００４８】
図２に示す（１）〜（８）の組み合わせは、
（ａ）情報処理装置［プレーヤ（Ｐｌａｙｅｒ）］１０２、
（ｂ）コンテンツ（Ｃｏｎｔｅｎｔｓ）、
（ｃ）表示装置［ディスプレイ（Ｄｉｓｐｌａｙ）］１０４。
これら（ａ）〜（ｃ）の各々を２Ｋ，４Ｋのいずれかとした組み合わせであり、これらの組み合わせの種類は図２に示すように（１）〜（８）の８通りとなる。
【００４９】
（ｄ）には、図２に示す８通りの組み合わせ設定において表示装置１０４に表示される画像態様を示している。
２Ｋは２Ｋ画像の表示であり、４Ｋは４Ｋ画像の表示となることを意味する。
アップコンバート４Ｋ（Ｕｐ  ｃｏｎｖｅｒｔｅｄ  ４Ｋ）は、２Ｋ画像を４Ｋ画像に変換（コンバート）して表示する処理を意味する。
ダウンコンバート２Ｋ（Ｄｏｗｎ  ｃｏｎｖｅｒｔｅｄ  ２Ｋ）は、４Ｋ画像を２Ｋ画像に変換（コンバート）して表示する処理を意味する。
【００５０】
図２に示すエントリ（１）は、情報処理装置（プレーヤ）、表示装置とも２Ｋコンテンツのみ処理可能な４Ｋ非対応装置であり、２Ｋコンテンツを処理する場合の例である。これは従来と同様の設定であり、表示装置の表示コンテンツは２Ｋ表示となる。すなわち、水平画素数×垂直画素数＝１９２０×１０８０の画素数を持つ２Ｋコンテンツ（ＨＤコンテンツ）の表示処理が実行される。
【００５１】
エントリ（２）は、情報処理装置（プレーヤ）が２Ｋコンテンツのみ処理可能な４Ｋ非対応装置であり、表示装置が４Ｋ画像を表示可能な４Ｋ対応装置において、２Ｋコンテンツを処理する場合の例である。この場合、表示装置の表示コンテンツは、２Ｋコンテンツを変換（アップコンバート）して生成した４Ｋ画像となる。
すなわち、元々のコンテツは、水平画素数×垂直画素数＝１９２０×１０８０の画素数を持つ２Ｋコンテンツ（ＨＤコンテンツ）であるが、この２Ｋコンテンツを変換して擬似的な４Ｋコンテンツを生成して表示処理が実行される。
【００５２】
なお、２Ｋ画像から４Ｋ画像に変換するアップコンバート処理は、情報処理装置（プレーヤ）１０２、または表示装置１０４のいずれかにおいて実行する。
【００５３】
エントリ（３）、（４）は、情報処理装置（プレーヤ）が２Ｋコンテンツのみ処理可能な４Ｋ非対応装置であり、表示装置が４Ｋ対応機器または非対応機器の設定で、４Ｋコンテンツを処理する場合の例である。この場合、表示装置には、４Ｋコンテンツの表示が実行されない。
【００５４】
（３）の処理は、従来の機器、すなわち、４Ｋ非対応の情報処理装置（プレーヤ）と表示装置の組み合わせを用いて、メディアに記録された４Ｋコンテンツを再生、表示しようとする処理に対応する。この場合、再生処理が実行できず、コンテンツ表示も実行されないことになる。
（４）の処理は、表示装置が４Ｋ対応機器であるが、情報処理装置（プレーヤ）が４Ｋ非対応であり、４Ｋコンテンツの読み出し、再生が実行できず、結果として再生、表示は実行されないことになる。
【００５５】
エントリ（５）は、情報処理装置（プレーヤ）が４Ｋ対応装置であり、表示装置が４Ｋ非対応装置とした設定において、２Ｋコンテンツを処理する場合の例である。この場合、表示装置の表示コンテンツは、２Ｋコンテンツとなる。
【００５６】
エントリ（６）は、情報処理装置（プレーヤ）が４Ｋ対応装置であり、表示装置も４Ｋ対応装置とした設定において、２Ｋコンテンツを処理する場合の例である。この場合、表示装置の表示コンテンツは、２Ｋコンテンツを変換（アップコンバート）して生成した４Ｋ画像となる。
すなわち、元々のコンテツは、水平画素数×垂直画素数＝１９２０×１０８０の画素数を持つ２Ｋコンテンツ（ＨＤコンテンツ）であるが、この２Ｋコンテンツを変換して擬似的な４Ｋコンテンツを生成して表示処理が実行される。
なお、２Ｋ画像から４Ｋ画像に変換するアップコンバート処理は、情報処理装置（プレーヤ）１０２、または表示装置１０４のいずれかにおいて実行する。
【００５７】
エントリ（７）は、情報処理装置（プレーヤ）が４Ｋ対応装置であり、表示装置は４Ｋ非対応装置とした設定において、４Ｋコンテンツを処理する場合の例である。この場合、表示装置の表示コンテンツは、４Ｋコンテンツを変換（ダウンコンバート）して生成した２Ｋ画像となる。
すなわち、元々のコンテツは、水平画素数×垂直画素数＝４０９６×２１６０の画素数を持つ４Ｋコンテンツであるが、この４Ｋコンテンツを変換して２Ｋコンテンツを生成して表示処理が実行される。
【００５８】
４Ｋ画像から２Ｋ画像に変換するダウンコンバート処理は、情報処理装置（プレーヤ）１０２、または表示装置１０４のいずれかにおいて実行する。
なお、この例では、ダウンコンバートを実行せず、コンテンツを非表示とする処理を行なってもよい。
【００５９】
エントリ（８）は、情報処理装置が４Ｋ対応装置であり、表示装置も４Ｋ対応装置とした設定において、４Ｋコンテンツを処理する場合の例である。この場合、表示装置の表示コンテンツは、４Ｋコンテンツとなる。
【００６０】
図２に示すように、
（ａ）情報記録媒体に格納されたコンテンツの再生を実行する情報処理装置、
（ｂ）情報記録媒体に格納された再生対象コンテンツ、
（ｃ）コンテンツ表示処理を実行する表示装置、
これらの種類に応じて、それぞれ異なる処理を行なうことが必要となる。
【００６１】
これらの処理制御は、例えばコンテンツ再生を実行する情報処理装置（プレーヤ）１０２が実行する。この場合、情報処理装置１０２は、情報記録媒体１０１に記録された再生対象コンテンツが２Ｋコンテンツであるか、４Ｋコンテンツであるかを識別する処理が必要となる。また、情報処理装置１０２に接続された表示装置１０４が４Ｋ対応機器であるか、４Ｋ非対応機器であるかについても識別することが必要である。
情報処理装置は、これらの識別結果に応じて、図２に示す（ｄ）表示態様に応じたコンテンツの出力制御を行うことになる。
【００６２】
［２．情報記録媒体の格納コンテンツの構成例について］
次に、情報記録媒体１０１に格納されるコンテンツのデータ構成例について、図３を参照して説明する。
【００６３】
図３に示す例は、ＢＤ（Ｂｌｕ−Ｒａｙ（登録商標）  Ｄｉｓｃ）に対するデータ記録フォーマットに従ったコンテンツ記録構成の一例を示す図である。
図３に示すように、情報記録媒体１０１には、以下の各種データが記録される。
インデックステーブル（Ｉｎｄｅｘ  ｔａｂｌｅ）２０１、
再生制御プログラム（Ｍｏｖｉｅ  ｏｂｊｅｃｔ／ＢＤＪ  ｏｂｊｅｃｔ）２０２、
プレイリスト（ＰｌａｙＬｉｓｔ）２０３、
クリップ情報（Ｃｌｉｐ  ｉｎｆｏ）２０４、
クリップＡＶストリーム（Ｃｌｉｐ  ＡＶ）２０５、
【００６４】
再生対象となる画像データや音声データはクリップＡＶストリーム２０５に格納される。
インデックステーブル２０１、再生制御プログラム２０２、プレイリスト２０３、およびクリップ情報２０４は、クリップＡＶストリーム２０５に格納されたデータの再生に適用する管理情報を格納した管理データファイルである。
以下、各ファイルについて簡単に説明する。
【００６５】
インデックステーブル２０１は、メディア全体の記録データについての管理情報を格納したファイルである。例えば再生コンテンツ単位のタイトル毎のインデックス（タイトルと再生制御プログラムとの対応関係など）を記録している。インデックステーブル２０１に記録されたタイトルから再生コンテンツを選択することで再生対象コンテンツを選択することができる。
【００６６】
再生制御プログラム２０２は、例えばプレイリスト２０３の管理情報等を格納したファイルである。様々なプレイリストを利用した再生処理を行うための複数のプログラムが含まれる。例えばＡＶストリーム再生処理に適用するプログラムや、メニュー表示処理に適用するプログラムなども含まれる。
【００６７】
なお、図３には、再生制御プログラム２０２として、ムービーオブシェクト（Ｍｏｖｉｅ  Ｏｂｊｅｃｔ）２０２ａ，ｂと、ＢＤＪオブジェクト（ＢＤＪ  Ｏｂｊｅｃｔ）２０２ｃの２種類のプログラムを示している。これは制御対象とするコンテンツが映画等のコンテンツであるか。Ｊａｖａ（登録商標）ファイルであるかの違いによるものである。
【００６８】
プレイリスト２０３は、１以上のプレイアイテムで構成される再生リストである。プレイアイテムは、クリップに対する再生開始点（ＩＮ点）と再生終了点（ＯＵＴ点）を持つ再生区間指定情報である。プレイリスト内の複数のプレイアイテムを時間軸上に並べることで、それぞれの再生区間の再生順序を指定することができる。
【００６９】
クリップ情報２０４は、クリップＡＶストリーム２０５に対応して設定される。クリップ情報２０４は、実際のストリームを再生する上で必要となるストリームに関する情報を記載したファイルである。
【００７０】
クリップＡＶストリーム２０５は、例えばＭＰＥＧ２−ＴＳ形式で記録されたストリームが格納されているファイルである。表示装置に表示する画像データはこのファイル内に格納される。
【００７１】
図３に示す例では、
１つのインデックステーブル２０１に対して、以下の３つのデータファイル系列を接続した構成を示している。
（ａ）再生制御プログラム２０２ａ〜クリップＡＶストリーム２０５ａ、
（ｂ）再生制御プログラム２０２ｂ〜クリップＡＶストリーム２０５ｂ、
（ｃ）再生制御プログラム２０２ｃ〜クリップＡＶストリーム２０５ｃ、
これらの（ａ）〜（ｃ）の各系列の各々は、例えばある１つのタイトルに対応するコンテンツおよびその管理情報ファイルに対応する。
【００７２】
例えば、（ａ）再生制御プログラム２０２ａ〜クリップＡＶストリーム２０５ａはある１つの映画コンテンツおよびその管理情報ファイルに対応する。
（ｂ）再生制御プログラム２０２ｂ〜クリップＡＶストリーム２０５ｂは、別の異なるコンテンツおよびその管理情報ファイルに対応する。
（ｃ）再生制御プログラム２０２ｃ〜クリップＡＶストリーム２０５ｃは、さらに異なるコンテンツおよびその管理情報ファイルに対応する。
【００７３】
インデックステーブル２０１には、これら（ａ）〜（ｃ）の各データ系列に対応するタイトル情報などが記録され、ユーザは、インデックステーブルに記録されたタイトルから１つのタイトルを選択して（ａ）〜（ｃ）の各データ系列のいずれかに対応するコンテンツを選択的に再生することができる。
【００７４】
インデックステーブル２０１にはこれらのコンテンツ選択情報の他、画像フォーマット、フレームレートなど、情報記録媒体に記録されたコンテンツの総括的な管理情報が記録される。
情報記録媒体１０１を装着した情報処理装置１０２は、まず、このインデックステーブル２０１に記録された情報を取得して、コンテンツ再生に必要となる様々な設定を行うことができる。
【００７５】
［３．４Ｋコンテンツに関する識別情報の記録と利用処理について］
図３を参照して説明したデータを格納した情報記録媒体１０１は、図１に示す情報処理装置（プレーヤ）１０２に装着され、情報処理装置（プレーヤ）１０２によってデータの読み出しが実行されてコンテンツ再生処理が行われる。
【００７６】
本開示の情報処理装置１０２は、情報記録媒体１０１に記録されたコンテンツに関する４Ｋ関連のコンテンツ情報を情報記録媒体１０１から読み出して、読み出したコンテンツ情報に従った処理を実行する。
【００７７】
図４は、図３を参照して説明した情報記録媒体１０１に記録されたインデックステーブル２０１の一部を示すシンタックス図である。
インデックステーブル２０１は、先に説明したように、情報記録媒体１０１に記録されたコンテンツに関する管理情報を記録している。
例えばコンテンツ対応のタイトル、画像フォーマット情報、フレームレートなどの情報である。
【００７８】
本開示の一実施例の構成では、このインデックステーブルに情報記録媒体の記録コンテンツに関する４Ｋ関連情報を示すコンテンツ情報を含めて記録する。情報処理装置（プレーヤ）１０２は、このコンテンツ情報を読み取り、様々な初期的な処理を行なう。図４に示すインデックステーブル中のコンテンツ情報Ａ３０１と、コンテンツ情報Ｂ３０２である。
【００７９】
以下、図４に示す２つのコンテンツ情報Ａ３０１、コンテンツ情報Ｂ３０２について説明する。
コンテンツ情報Ａ３０１は、
［ｉｎｉｔｉａｌ＿４Ｋ＿ｏｕｔｐｕｔ＿ｐｒｅｆｅｒｅｎｃｅ］
である。
このコンテンツ情報Ａ［ｉｎｉｔｉａｌ＿４Ｋ＿ｏｕｔｐｕｔ＿ｐｒｅｆｅｒｅｎｃｅ］は、情報記録媒体１０１から最初に読み出されて表示装置１０４に出力される画像データが４Ｋコンテンツであるか否かを示す情報である。
【００８０】
例えば、情報記録媒体１０１から最初に読み出されて表示装置１０４に出力される画像データが４Ｋコンテンツである場合、
コンテンツ情報Ａ［ｉｎｉｔｉａｌ＿４Ｋ＿ｏｕｔｐｕｔ＿ｐｒｅｆｅｒｅｎｃｅ］＝１が設定される。
一方、情報記録媒体１０１から最初に読み出されて表示装置１０４に出力される画像データが２Ｋコンテンツである場合、
コンテンツ情報Ａ［ｉｎｉｔｉａｌ＿４Ｋ＿ｏｕｔｐｕｔ＿ｐｒｅｆｅｒｅｎｃｅ］＝０が設定される。
【００８１】
なお、情報記録媒体１０１から最初に読み出されて表示装置１０４に出力される画像データは、例えば映画などのコンテンツ、あるいはその他のオープニング画面や、メニュー情報、広告宣伝コンテンツなど、情報記録媒体に応じて様々なコンテンツである。
このコンテンツ情報Ａ［ｉｎｉｔｉａｌ＿４Ｋ＿ｏｕｔｐｕｔ＿ｐｒｅｆｅｒｅｎｃｅ］は、この最初の出力画像データが４Ｋコンテンツであるか否かを示す識別情報である。
【００８２】
情報記録媒体１０１を装着して、情報記録媒体１０１の格納コンテンツの再生を実行する情報処理装置（プレーヤ）１０２は、このコンテンツ情報Ａ［ｉｎｉｔｉａｌ＿４Ｋ＿ｏｕｔｐｕｔ＿ｐｒｅｆｅｒｅｎｃｅ］を参照して、表示装置１０４に対する最初の画像出力が４Ｋであるか２Ｋ（ＨＤ）であるかを即座に判別することが可能となる。
【００８３】
情報処理装置（プレーヤ）１０２は、このコンテンツ情報Ａに基づく判別結果に応じて情報処理装置（プレーヤ）１０２から表示装置１０４に対するデータ出力形式を４Ｋ、あるいは２Ｋ（ＨＤ）形式に迅速に設定することが可能となる。
結果として、例えば、情報記録媒体１０１の装着、あるいはユーザによる再生開始指示の入力から、表示装置１０４に対する最初の画像表示までに要する時間を短縮することが可能となる。
なお、情報処理装置（プレーヤ）１０２の処理シーケンスについては、さらに、後段で説明する。
【００８４】
次に、図４に示すもう１つのコンテンツ情報であるコンテンツ情報Ｂ３０２について説明する。
コンテンツ情報Ｂ３０２は、
［４Ｋ＿ｃｏｎｔｅｎｔ＿ｅｘｉｓｔ＿ｆｌａｇ］
である。
このコンテンツ情報Ｂ［４Ｋ＿ｃｏｎｔｅｎｔ＿ｅｘｉｓｔ＿ｆｌａｇ］は、情報記録媒体１０１に記録された全コンテンツ中に４Ｋコンテンツが含まれるか否かを示す情報である。
【００８５】
例えば、情報記録媒体１０１に記録された全コンテンツ中に４Ｋコンテンツが含まれる場合、
コンテンツ情報Ｂ［４Ｋ＿ｃｏｎｔｅｎｔ＿ｅｘｉｓｔ＿ｆｌａｇ］＝１が設定される。
一方、情報記録媒体１０１に記録された全コンテンツ中に４Ｋコンテンツが含まれない場合、
コンテンツ情報Ｂ［４Ｋ＿ｃｏｎｔｅｎｔ＿ｅｘｉｓｔ＿ｆｌａｇ］＝０が設定される。
【００８６】
情報記録媒体１０１を装着して、情報記録媒体１０１の格納コンテンツの再生を実行する情報処理装置（プレーヤ）１０２は、このコンテンツ情報Ｂ［４Ｋ＿ｃｏｎｔｅｎｔ＿ｅｘｉｓｔ＿ｆｌａｇ］を参照して、情報記録媒体１０１に４Ｋコンテンツが含まれるか否かを即座に判断することができる。
【００８７】
なお、後段で詳細に説明するが、情報処理装置（プレーヤ）１０２は、このコンテンツ情報Ｂの他、情報処理装置（プレーヤ）１０２に接続された表示装置１０４が、４Ｋコンテンツを表示可能な４Ｋ対応表示装置であるか否かの表示装置情報を取得する。
【００８８】
すなわち、情報処理装置（プレーヤ）１０２は、コンテンツ情報Ｂに基づいて情報記録媒体１０１の格納コンテンツ中に４Ｋコンテンツが含まれるか否かを判定し、さらに、表示装置１０４が４Ｋ対応表示装置か否かを判定する。
情報処理装置（プレーヤ）１０２は、これらの判定情報に基づいて、表示装置１０４にコンテンツの表示態様等を示すメッセージを出力する。すなわち、情報記録媒体１０１の格納コンテンツと表示装置１０４の性能に応じて決定されるコンテンツ表示態様の詳細をユーザ（視聴者）に通知する処理を行なう。
このメッセージ表示処理の具体例については後段で詳細に説明する。
【００８９】
上述したように、コンテンツ再生を実行する情報処理装置（プレーヤ）１０２は、情報記録媒体１０１のインデックステーブルから、
コンテンツ情報Ａ［ｉｎｉｔｉａｌ＿４Ｋ＿ｏｕｔｐｕｔ＿ｐｒｅｆｅｒｅｎｃｅ］、
コンテンツ情報Ｂ［４Ｋ＿ｃｏｎｔｅｎｔ＿ｅｘｉｓｔ＿ｆｌａｇ］、
これらの識別情報を取得する。
さらに、情報処理装置（プレーヤ）１０２は、表示装置１０４が４Ｋ対応か否かを判別して、それぞれの組み合わせに応じて様々な対応を行うことが可能となる。
この組み合わせと処理について、図５を参照して説明する。
【００９０】
図５には、
（１）コンテンツ情報Ａ［ｉｎｉｔｉａｌ＿４Ｋ＿ｏｕｔｐｕｔ＿ｐｒｅｆｅｒｅｎｃｅ］（再生開始時出力＝４Ｋ）が０（２Ｋ）か、１（４Ｋ）か、
（２）コンテンツ情報Ｂ［４Ｋ＿ｃｏｎｔｅｎｔ＿ｅｘｉｓｔ＿ｆｌａｇ］（４Ｋコンテンツを含むか否か）が０（４Ｋ含まない）か、１（４Ｋ含む）か、
（３）表示装置が４Ｋ対応（４Ｋ）か、４Ｋ非対応（２Ｋ）か、
これら（１）の各パターンの組み合わせに対応する処理例を示している。
なお、コンテンツ情報Ａ＝１（再生開始時出力＝４Ｋ）の場合は、必ずコンテンツ情報Ｂ＝１（４Ｋコンテンツを含む）となり、コンテンツ情報Ｂ＝０の場合は無いので、（１）〜（３）の組み合わせパターンは図５に示す６通り（Ａ１〜Ｃ２）となる。
【００９１】
各組み合わせパターン（Ａ１）〜（Ｃ２）において、情報処理装置（プレーヤ）１０２が実行する処理について説明する。
（パターンＡ１）
コンテンツ情報Ａ＝０（初期出力＝２Ｋ）
コンテンツ情報Ｂ＝０（４Ｋコンテンツ含まず）
表示装置＝２Ｋ（４Ｋ非対応）
この組み合わせでは、情報記録媒体からの読み出しコンテンツは全て２Ｋであり、表示装置は４Ｋ画像の表示できない４Ｋ非対応装置であり、２Ｋ画像のみの出力となる。
【００９２】
このパターンＡ１において、情報記録媒体からの読み出しコンテンツは全て２Ｋであり、４Ｋ非対応の表示装置に対して２Ｋ画像のみの出力が実行される。
この場合、情報処理装置（プレーヤ）１０２は、図５に示すように以下の処理を実行する。
ａ．表示装置に対する初期出力を２Ｋ（ＨＤ）出力に設定、
ｂ．メッセージ出力（メッセージＭ１）、
【００９３】
メッセージＭ１の例を図６に示す。メッセージＭ１は、図６に示すように以下のメッセージである。
「ディスク記録コンテンツは、全てＨＤ（２Ｋ）コンテンツです。お使いのテレビにおいて、全てのコンテンツを問題なく視聴可能です。」
なお、図６に示すメッセージは一例であり、その他のメッセージ構成としてもよい。ただし、情報記録媒体のコンテンツに４Ｋコンテンツを含むか否か、情報記録媒体の記録コンテンツの全てが視聴可能か否かの各情報を含む設定とすることが好ましい。さらに、テレビが４Ｋ対応か否かの情報を含めてもよい。
【００９４】
（パターンＡ２）
コンテンツ情報Ａ＝０（初期出力＝２Ｋ）
コンテンツ情報Ｂ＝０（４Ｋコンテンツ含まず）
表示装置＝４Ｋ（４Ｋ対応）
この組み合わせでは、情報記録媒体からの読み出しコンテンツは全て２Ｋであり、表示装置は４Ｋ画像の表示できる４Ｋ対応装置である。
情報記録媒体からの読み出しコンテンツは全て２Ｋであり、４Ｋ対応の表示装置に対して２Ｋ画像のみの出力が実行される。
この場合、情報処理装置（プレーヤ）１０２は、図５に示すように以下の処理を実行する。
ａ．表示装置に対する初期出力を２Ｋ（ＨＤ）出力に設定、
ｂ．メッセージ出力（メッセージＭ１）、
【００９５】
メッセージＭ１は、パターン（Ａ１）との場合のメッセージと同様であり、図６に示すように以下のメッセージである。
「ディスク記録コンテンツは、全てＨＤ（２Ｋ）コンテンツです。お使いのテレビにおいて、全てのコンテンツを問題なく視聴可能です。」
【００９６】
（パターンＢ１）
コンテンツ情報Ａ＝０（初期出力＝２Ｋ）
コンテンツ情報Ｂ＝１（４Ｋコンテンツ含む）
表示装置＝２Ｋ（４Ｋ非対応）
この組み合わせでは、情報記録媒体からの初期読み出しコンテンツは２Ｋであるが、情報記録媒体の記録コンテンツ中には４Ｋコンテンツが含まれる。
表示装置は４Ｋ画像を表示できない４Ｋ非対応装置である。
【００９７】
この場合、情報処理装置（プレーヤ）１０２は、図５に示すように以下の処理を実行する。
ａ．表示装置に対する初期出力を２Ｋ（ＨＤ）出力に設定、
ｂ．メッセージ出力（メッセージＭ２）、
【００９８】
メッセージＭ２は、図６に示すように以下のメッセージである。
「ディスク記録コンテンツには、４Ｋコンテンツが含まれます。お使いのテレビは４Ｋ非対応です。４Ｋコンテンツは視聴できません。または画質を落として表示されます。」
【００９９】
このパターンＢ１は、表示装置が４Ｋ非対応であるので、情報記録媒体に格納された４Ｋコンテンツは、表示装置に４Ｋコンテンツとして表示することができない。
従って、４Ｋコンテンツについては、表示を行わないか、あるいは２Ｋコンテンツに変換（ダウンコンバート）して表示を行うことになる。
ダウンコンバート機能が情報処理装置、または表示装置に備わっている場合はいずれかの装置においてダウンコンバート処理を行なって２Ｋ画像として表示することができる。ただし、いずれの装置もダウンコンバート機能を有していない場合は、表示を行うことができないことになる。
【０１００】
（パターンＢ２）
コンテンツ情報Ａ＝０（初期出力＝２Ｋ）
コンテンツ情報Ｂ＝１（４Ｋコンテンツ含む）
表示装置＝４Ｋ（４Ｋ対応）
この組み合わせでは、情報記録媒体からの初期読み出しコンテンツは２Ｋであるが、情報記録媒体の記録コンテンツ中には４Ｋコンテンツが含まれる。
表示装置は４Ｋ画像を表示できる４Ｋ対応装置である。
【０１０１】
この場合、情報処理装置（プレーヤ）１０２は、図５に示すように以下の処理を実行する。
ａ．表示装置に対する初期出力を２Ｋ（ＨＤ）出力に設定、
ｂ．メッセージ出力（メッセージＭ３）、
【０１０２】
メッセージＭ３は、図６に示すように以下のメッセージである。
「ディスク記録コンテンツには、４Ｋコンテンツが含まれます。お使いのテレビは４Ｋ対応です。全てのコンテンツを問題なく視聴できます。」
【０１０３】
このパターンＢ２は、表示装置が４Ｋ対応であるので、情報記録媒体に格納された４Ｋコンテンツは、表示装置に４Ｋコンテンツとして表示することができる。
【０１０４】
（パターンＣ１）
コンテンツ情報Ａ＝１（初期出力＝４Ｋ）
コンテンツ情報Ｂ＝１（４Ｋコンテンツ含む）
表示装置＝２Ｋ（４Ｋ非対応）
この組み合わせでは、情報記録媒体からの初期読み出しコンテンツが４Ｋであり、情報記録媒体の記録コンテンツ中には４Ｋコンテンツが含まれる。
表示装置は４Ｋ画像の表示できない４Ｋ非対応装置である。
【０１０５】
この場合、情報処理装置（プレーヤ）１０２は、図５に示すように以下の処理を実行する。
ａ．表示装置に対する初期出力を２Ｋ出力に設定、
ｂ．メッセージ出力（メッセージＭ２）、
【０１０６】
メッセージＭ２は、図６に示すように以下のメッセージである。
「ディスク記録コンテンツには、４Ｋコンテンツが含まれます。お使いのテレビは４Ｋ非対応です。４Ｋコンテンツは視聴できません。または画質を落として表示されます。」
【０１０７】
このパターンＣ１は、先に説明したパターンＢ１と同様、表示装置が４Ｋ非対応であるので、情報記録媒体に格納された４Ｋコンテンツは、表示装置に４Ｋコンテンツとして表示することができない。
従って、４Ｋコンテンツについては、２Ｋコンテンツに変換（ダウンコンバート）して表示を行うことになる。
ダウンコンバート機能が情報処理装置、または表示装置に備わっている場合はいずれかの装置においてダウンコンバート処理を行なって２Ｋ画像として表示することができる。ただし、いずれの装置もダウンコンバート機能を有していない場合は、表示不可となる。
なお。図５に示す例は、情報処理装置（プレーヤ）がダウンコンバート機能を備えている場合の処理例を示している。
【０１０８】
（パターンＣ２）
コンテンツ情報Ａ＝１（初期出力＝４Ｋ）
コンテンツ情報Ｂ＝１（４Ｋコンテンツ含む）
表示装置＝４Ｋ（４Ｋ対応）
この組み合わせでは、情報記録媒体からの初期読み出しコンテンツは４Ｋであり、情報記録媒体の記録コンテンツ中には４Ｋコンテンツを含む。
表示装置は４Ｋ画像の表示できる４Ｋ対応装置である。
【０１０９】
この場合、情報処理装置（プレーヤ）１０２は、図５に示すように以下の処理を実行する。
ａ．表示装置に対する初期出力を４Ｋ出力に設定、
ｂ．メッセージ出力（メッセージＭ３）、
【０１１０】
メッセージＭ３は、図６に示すように以下のメッセージである。
「ディスク記録コンテンツには、４Ｋコンテンツが含まれます。お使いのテレビは４Ｋ対応です。全てのコンテンツを問題なく視聴できます。」
【０１１１】
このパターンＣ２は、表示装置が４Ｋ対応であるので、情報記録媒体に格納された４Ｋコンテンツは、表示装置に４Ｋコンテンツとして表示することができる。
【０１１２】
なお、図５、図６を参照して説明した実施例では、図５に示す（Ａ１）〜（Ｃ２）の６パターン全てにおいて、ユーザ（視聴者）に対するメッセージを表示するものとして説明したが、メッセージ表示は、一部の場合にのみ実行する設定としてもよい。
例えば、問題なく視聴可能な場合のメッセージ（メッセージＭ１，Ｍ３）の表示は行わず、視聴に問題が発生する可能性がある場合のメッセージ（メッセージＭ２）のみを表示する設定としてもよい。
【０１１３】
［４．表示装置の装置情報の取得格納処理と利用処理について］
図５を参照して説明したように、本開示の情報処理装置（プレーヤ）１０２は、情報処理装置（プレーヤ）１０２に接続された表示装置１０４が４Ｋ対応か否かの装置情報を取得し、この装置情報を利用した処理を行なう。
【０１１４】
図１に示すように、情報処理装置（プレーヤ）１０２は、表示装置１０４と例えばＨＤＭＩ（登録商標）ケーブル等の接続ケーブル１０５を介して接続されている。
情報処理装置（プレーヤ）１０２は、この接続ケーブル１０５を介して表示装置１０４から装置情報を受信し、表示装置１０４が４Ｋ対応の表示装置であるか否かを判別する。
【０１１５】
具体的には、情報処理装置（プレーヤ）１０２は、ＨＤＭＩ（登録商標）ケーブルを介して表示装置１０４から表示装置情報としてのＨＤＭＩ（登録商標）  ＥＤＩＤ（Ｅｘｔｅｎｄｅｄ  Ｄｉｓｐｌａｙ  Ｉｄｅｎｔｉｆｉｃａｔｉｏｎ  Ｄａｔａ）を受信する。情報処理装置（プレーヤ）１０２は、この受信情報から表示装置１０４が４Ｋ画像を表示可能な４Ｋ対応装置であるか否かの情報、すなわち４Ｋ表示可否情報（４Ｋ  Ｄｉｓｐｌａｙ  Ｃａｐａｂｉｌｉｔｙ）を取得する。
なお、表示装置が４Ｋ対応装置であるか否かの表示装置情報の取得方式は、上記のＨＤＭＩ（登録商標）  ＥＤＩＤを利用した方式に限らず、その他の方式を適用してもよい。
【０１１６】
情報処理装置（プレーヤ）１０２は、表示装置１０４から受信した４Ｋ表示可否情報（４Ｋ  Ｄｉｓｐｌａｙ  Ｃａｐａｂｉｌｉｔｙ）を情報処理装置１０２内の記憶部に格納する。
例えば１ビット情報として、以下のような設定で、表示装置１０４が４Ｋ対応であるか否かの４Ｋ表示可否情報を記録する。
ビット０：表示装置は４Ｋ非対応装置、
ビット１：表示装置は４Ｋ対応装置、
このようなデータを記憶部に格納する。
なお、情報処理装置（プレーヤ）１０２が、表示装置１０４から４Ｋ表示可否情報（４Ｋ  Ｄｉｓｐｌａｙ  Ｃａｐａｂｉｌｉｔｙ）を取得できない場合は、表示装置１０４は４Ｋ非対応の装置であると判断して、ビット０を設定する。
【０１１７】
４Ｋ表示可否情報（４Ｋ  Ｄｉｓｐｌａｙ  Ｃａｐａｂｉｌｉｔｙ）を示すビット値を格納する記憶部の例について図７以下を参照して説明する。
図７に示す例は、ビット値格納のための記憶部としてＰＳＲを利用した例である。
記憶部（レジスタ）４０１は、ＰＳＲ、すなわちプレーヤ・セッテイング・レジスタ、あるいはプレイバック・ステータス・レジスタによって構成されるレジスタ群である。
記憶部（レジスタ）４０１を構成するＰＳＲの各々は、例えば８ビットデータの記憶領域を有する。図７に示すように情報処理装置１０２は、多数のＰＳＲを有している。図７に示す例は、ＰＳＲ１〜ＰＳＲ１２８の１２８個のＰＳＲから構成される記憶部（レジスタ）４０１の例を示している。
【０１１８】
ＰＳＲの各々には、情報記録媒体にの格納コンテンツに適用するために必要となる様々なパラメータが記録される。すなわち、コンテンツの再生制御パラメータや、表示装置１０４に対する出力制御情報などである。
【０１１９】
ＰＳＲ各々に対する格納パラメータについては、各再生プログラムに規定されている。しかし、ＰＳＲ１〜ＰＳＲ１２８のすべての記録フィールドが利用されているわけではない。全く利用していない未使用ＰＳＲや、一部のビット領域を使用し、一部のビット領域を未使用領域（リザーブ領域）としたＰＳＲが存在する。
【０１２０】
この未使用のＰＳＲ、またはＰＳＲ内の一部の未使用ビット領域に、コンテンツ表示を実行する表示装置が４Ｋ対応であるか否かを示す４Ｋ表示可否情報（４Ｋ  Ｄｉｓｐｌａｙ  Ｃａｐａｂｉｌｉｔｙ）を示すビット値を格納する。
以下、ビット値格納例として２つの例について説明する。
【０１２１】
［４−１．ＰＳＲ２３に４Ｋ表示可否情報を格納する例］
まず、情報処理装置（プレーヤ）１０２の記憶部（レジスタ）４０１であるＰＳＲ群中の１つのＰＳＲであるＰＳＲ２３を利用して、表示装置が４Ｋ対応であるか否かを示す４Ｋ表示可否情報（４Ｋ  Ｄｉｓｐｌａｙ  Ｃａｐａｂｉｌｉｔｙ）を示すビット値を格納する例について説明する。
【０１２２】
図８はＰＳＲ２３のデータ格納例を示している。ＰＳＲ２３は、８ビットのデータ記録領域を有し、そのうち、ｂ０〜ｂ２の３ビットの記録領域のみが３Ｄテレビを利用したコンテンツ再生に関する再生制御情報の記録領域として利用されている。
ｂ３〜ｂ７のビット値記録領域は、未使用（リザーブ）領域となっており、この中の１つのビット記録領域（ｂ３）を４Ｋ表示可否情報（４Ｋ  Ｄｉｓｐｌａｙ  Ｃａｐａｂｉｌｉｔｙ）を示すビット値の格納領域として設定する。
【０１２３】
図８に示すように、レジスタＰＳＲ２３の１ビット記録領域（ｂ３）を利用して、ここに４Ｋ表示可否情報（４Ｋ  Ｄｉｓｐｌａｙ  Ｃａｐａｂｉｌｉｔｙ）４２１を記録する。
表示装置が４Ｋ対応表示装置である場合は、ビット値＝１、
表示装置が４Ｋ非対応表示装置である場合は、ビット値＝０、
これらのいずれかのビット値を格納する。
【０１２４】
先に説明したように、例えば情報処理装置（プレーヤ）１０２は、表示装置１０４から受信した表示装置情報（ＨＤＭＩ（登録商標）  ＥＤＩＤ）を解析し、表示装置が４Ｋ対応表示装置か否かの情報を取得し、取得情報に従って、ＰＳＲ２３の所定位置（ｂ３）にビット値（０または１）を格納する。
【０１２５】
情報処理装置（プレーヤ）１０２が、先に図５を参照して説明した処理、すなわち、表示装置の初期出力の設定や、メッセージ出力を行う場合、このＰＳＲ２３の１ビット記録領域（ｂ３）のビット値を参照して、コンテンツ出力を実行する表示装置１０４が４Ｋ対応か否かを判定して、実行する処理を決定する。
【０１２６】
［４−２．ＰＳＲ２５に４Ｋ表示可否情報を格納する例］
次に、情報処理装置（プレーヤ）１０２の記憶部（レジスタ）４０１であるＰＳＲ群中の１つのＰＳＲであるＰＳＲ２５を利用して、表示装置が４Ｋ対応であるか否かを示す４Ｋ表示可否情報（４Ｋ  Ｄｉｓｐｌａｙ  Ｃａｐａｂｉｌｉｔｙ）を示すビット値格納例について説明する。
【０１２７】
図９はＰＳＲ２５のデータ格納例を示している。ＰＳＲ２５は、８ビットのデータ記録領域を有している。このＰＳＲ２５の全領域ｂ０〜ｂ７のビット値記録領域が未使用（リザーブ）領域となっている。この中の１つのビット記録領域（ｂ０）を４Ｋ表示可否情報（４Ｋ  Ｄｉｓｐｌａｙ  Ｃａｐａｂｉｌｉｔｙ）を示すビット値の格納領域として設定する。
【０１２８】
図９に示すように、レジスタＰＳＲ２５の１ビット記録領域（ｂ０）を利用して、ここに４Ｋ表示可否情報（４Ｋ  Ｄｉｓｐｌａｙ  Ｃａｐａｂｉｌｉｔｙ）４２２を記録する。
表示装置が４Ｋ対応表示装置である場合は、ビット値＝１、
表示装置が４Ｋ非対応表示装置である場合は、ビット値＝０、
これらのいずれかのビット値を格納する。
【０１２９】
先に説明したように、例えば情報処理装置（プレーヤ）１０２は、表示装置１０４から受信した表示装置情報（ＨＤＭＩ（登録商標）  ＥＤＩＤ）を解析し、表示装置が４Ｋ対応表示装置か否かの情報を取得し、取得情報に従って、ＰＳＲ２５の所定位置（ｂ０）にビット値（０または１）を格納する。
【０１３０】
情報処理装置（プレーヤ）１０２が、先に図５を参照して説明した処理、すなわち、表示装置の初期出力の設定や、メッセージ出力を行う場合、このＰＳＲ２５の１ビット記録領域（ｂ０）のビット値を参照して、コンテンツ出力を実行する表示装置１０４が４Ｋ対応か否かを判定し、判定結果に応じて実行する処理を決定する。
【０１３１】
［５．情報処理装置の実行する処理シーケンスについて］
次に、情報記録媒体１０１を装着して情報記録媒体１０１の格納コンテンツの再生を行なう情報処理装置（プレーヤ）１０２が、コンテンツ再生開始前の初期処理として実行する処理のシーケンスについて図１０に示すフローチャートを参照して説明する。
【０１３２】
図１０に示すフローチャートは、コンテンツを格納した情報記録媒体１０１を装着した情報処理装置１０２のデータ処理部において実行される。図１０に示すフローに従った処理シーケンスを記録したプログラムは、情報処理装置１０２のメモリ、あるいは、コンテンツを格納した情報記録媒体に格納されている。情報処理装置１０２は、メモリまたは情報記録媒体１０１から読み取ったプログラムに従って、図１０に示すフローチャートに従った処理を実行する。
【０１３３】
情報処理装置は、まずステップＳ１０１において、情報記録媒体からの再生コンテンツを表示する表示装置が４Ｋコンテンツを表示可能な４Ｋ対応装置であるか否かの情報を取得し、取得情報を記憶部（レジスタ）に格納する。
先に説明したように、例えばＨＤＭＩ（登録商標）ケーブルで接続された表示装置からＨＤＭＩ（登録商標）  ＥＤＩＤを取得して、取得情報に含まれる４Ｋ表示可否情報を記憶部に格納する。記憶部は、例えば図８、図９を参照して説明したＰＳＲのいずれかである。
【０１３４】
情報処理装置（プレーヤ）の記憶部には以下のビット値が格納される。
表示装置が４Ｋ対応であれば、ビット値：１
表示装置が４Ｋ非対応であれば、ビット値：０、
これらいずれかのビット値が格納される。
なお、表示装置から表示装置情報が得られない場合は、表示装置は４Ｋ非対応であると判定しビット値０を格納する。
【０１３５】
次に、ステップＳ１０２において、情報処理装置（プレーヤ）は、情報処理装置（プレーヤ）に装着した情報記録媒体から、以下の各情報を取得する。
コンテンツ情報Ａ［Ｉｎｉｔｉａｌ＿４Ｋ＿ｏｕｔｐｕｔ＿ｐｒｅｆｅｒｅｎｃｅ］
コンテンツ情報Ｂ［４Ｋ＿ｃｏｎｔｅｎｔ＿ｅｘｉｓｔ＿ｆｌａｇ］
これらは、先に図４を参照して説明したように、コンテンツを格納した情報記録媒体に記録されたコンテンツ管理情報から取得される情報である。
【０１３６】
これらのコンテンツ情報は、具体的には、以下の各情報を示す。
コンテンツ情報Ａ［ｉｎｉｔｉａｌ＿４Ｋ＿ｏｕｔｐｕｔ＿ｐｒｅｆｅｒｅｎｃｅ］は、再生開始時出力が４Ｋコンテンツであるか２Ｋコンテンツであるかの情報である。
コンテンツ情報Ａ＝０の場合は、再生開始時出力＝２Ｋコンテンツ、
コンテンツ情報Ａ＝１の場合は、再生開始時出力＝４Ｋコンテンツ、
これらのコンテンツ情報である。
【０１３７】
コンテンツ情報Ｂ［４Ｋ＿ｃｏｎｔｅｎｔ＿ｅｘｉｓｔ＿ｆｌａｇ］は、情報記録媒体の格納コンテンツに４Ｋコンテンツを含むか否かを示す情報である。
コンテンツ情報Ｂ＝０の場合は、４Ｋコンテンツを含まない、
コンテンツ情報Ｂ＝１の場合は、４Ｋコンテンツを含む、
これらのコンテンツ情報である。
【０１３８】
情報処理装置は、ステップＳ１０２において、これら２つのコンテンツ情報Ａ，Ｂを情報記録媒体から取得する。
【０１３９】
次に、ステップＳ１０３において、情報処理装置は、情報記録媒体から取得したコンテンツ情報Ａ［ｉｎｉｔｉａｌ＿４Ｋ＿ｏｕｔｐｕｔ＿ｐｒｅｆｅｒｅｎｃｅ］の設定を判定する。すなわち、
コンテンツ情報Ａ＝０：再生開始時出力＝２Ｋコンテンツ、
コンテンツ情報Ａ＝１：再生開始時出力＝４Ｋコンテンツ、
上記いずれの設定であるかを判定する。
【０１４０】
ステップＳ１０３において、
コンテンツ情報Ａ＝０：再生開始時出力＝２Ｋコンテンツ、
であると判定した場合は、ステップＳ１０４に進む。
一方、
コンテンツ情報Ａ＝１：再生開始時出力＝４Ｋコンテンツ、
であると判定した場合は、ステップＳ１０９に進む。
【０１４１】
ステップＳ１０３において、コンテンツ情報Ａ＝０：再生開始時出力＝２Ｋコンテンツ、であると判定し、ステップＳ１０４に進んだ場合は、次に、情報処理装置は、情報記録媒体から取得したコンテンツ情報Ｂ［４Ｋ＿ｃｏｎｔｅｎｔ＿ｅｘｉｓｔ＿ｆｌａｇ］の設定を判定する。すなわち、
コンテンツ情報Ｂ＝０：情報記録媒体が４Ｋコンテンツを含まない、
コンテンツ情報Ｂ＝１：情報記録媒体が４Ｋコンテンツを含む、
上記いずれの設定であるかを判定する。
【０１４２】
ステップＳ１０４において、
コンテンツ情報Ｂ＝０：情報記録媒体が４Ｋコンテンツを含まない、
であると判定した場合は、ステップＳ１０５に進む。
一方、
コンテンツ情報Ｂ＝１：情報記録媒体が４Ｋコンテンツを含む、
と判定した場合は、ステップＳ１０６に進む。
【０１４３】
ステップＳ１０４において、コンテンツ情報Ｂ＝０：情報記録媒体が４Ｋコンテンツを含まないと判定した場合は、ステップＳ１０５に進み、以下の処理を実行する。
ａ．表示装置に対する初期出力を２Ｋ（ＨＤ）の設定とする。
ｂ．メッセージＭ１を出力する。
【０１４４】
このステップＳ１０５の処理は、先に図５を参照して説明した（Ａ１）と（Ａ２）の処理に対応する。すなわち、以下の設定に対応する処理である。
コンテンツ情報Ａ＝０（再生開始時出力＝２Ｋ）、
コンテンツ情報Ｂ＝０（情報記録媒体に４Ｋコンテンツを含まない）
表示装置＝４Ｋ対応または４Ｋ非対応、
これらの設定の場合、すなわち図５に示す（Ａ１），（Ａ２）の場合は、ステップＳ１０５に示す以下の処理を実行する。
ａ．表示装置に対する初期出力を２Ｋ（ＨＤ）の設定とする。
ｂ．メッセージＭ１を出力する。
これらの処理を実行する。なお、メッセージＭ１は、図６を参照して説明したメッセージＭ１である。すなわち、以下のメッセージである。
「ディスク記録コンテンツは、全てＨＤ（２Ｋ）コンテンツです。お使いのテレビにおいて、全てのコンテンツを問題なく視聴可能です。」
上記メッセージを情報処理装置の制御の下で表示装置に出力する処理が実行される。
【０１４５】
ステップＳ１０４において、コンテンツ情報Ｂ＝１：情報記録媒体が４Ｋコンテンツを含むと判定した場合は、ステップＳ１０６に進む。
ステップＳ１０６において、情報処理装置は、コンテンツ表示を実行する表示装置が４Ｋ対応であるか４Ｋ非対応であるかを判定する。
この判定処理は、ステップＳ１０１において表示装置から取得し、記憶部（レジスタ）に格納した４Ｋ表示可否情報を参照して実行する。すなわち、例えば図８、図９を参照して説明したＰＳＲの格納情報である。
【０１４６】
ステップＳ１０６において、
表示装置が４Ｋ非対応の表示装置であると判定した場合は、ステップＳ１０７に進む。
一方、表示装置が４Ｋ対応の表示装置であると判定した場合は、ステップＳ１０８に進む。
【０１４７】
ステップＳ１０６において、表示装置が４Ｋ非対応の表示装置であると判定した場合は、ステップＳ１０７に進み、以下の処理を実行する。
ａ．表示装置に対する初期出力を２Ｋ（ＨＤ）の設定とする。
ｂ．メッセージＭ２を出力する。
【０１４８】
このステップＳ１０７の処理は、先に図５を参照して説明した（Ｂ１）の処理に対応する。すなわち、以下の設定に対応する処理である。
コンテンツ情報Ａ＝０（再生開始時出力＝２Ｋ）、
コンテンツ情報Ｂ＝１（情報記録媒体に４Ｋコンテンツを含む）
表示装置＝４Ｋ非対応、
これらの設定の場合、すなわち図５に示す（Ｂ１）の場合は、ステップＳ１０７に示す以下の処理を実行する。
ａ．表示装置に対する初期出力を２Ｋ（ＨＤ）の設定とする。
ｂ．メッセージＭ２を出力する。
【０１４９】
これらの処理を実行する。なお、メッセージＭ２は、図６を参照して説明したメッセージＭ２である。すなわち、以下のメッセージである。
「ディスク記録コンテンツには、４Ｋコンテンツが含まれます。お使いのテレビは４Ｋ非対応です。４Ｋコンテンツは視聴できません。または画質を落として表示されます。」
上記メッセージを情報処理装置の制御の下で表示装置に出力する処理を実行する。
【０１５０】
一方、ステップＳ１０６において、表示装置が４Ｋ対応の表示装置であると判定した場合は、ステップＳ１０８に進み、以下の処理を実行する。
ａ．表示装置に対する初期出力を２Ｋ（ＨＤ）の設定とする。
ｂ．メッセージＭ３を出力する。
【０１５１】
このステップＳ１０８の処理は、先に図５を参照して説明した（Ｂ２）の処理に対応する。すなわち、以下の設定に対応する処理である。
コンテンツ情報Ａ＝０（再生開始時出力＝２Ｋ）、
コンテンツ情報Ｂ＝１（情報記録媒体に４Ｋコンテンツを含む）
表示装置＝４Ｋ対応、
【０１５２】
これらの設定の場合、すなわち図５に示す（Ｂ２）の場合は、ステップＳ１０８に示す以下の処理を実行する。
ａ．表示装置に対する初期出力を２Ｋ（ＨＤ）の設定とする。
ｂ．メッセージＭ３を出力する。
これらの処理を実行する。なお、メッセージＭ３は、図６を参照して説明したメッセージＭ３である。すなわち、以下のメッセージである。
「ディスク記録コンテンツには、４Ｋコンテンツが含まれます。お使いのテレビは４Ｋ対応です。全てのコンテンツを問題なく視聴できます。」
上記メッセージを情報処理装置の制御の下で表示装置に出力する処理を実行する。
【０１５３】
次に、ステップＳ１０３において、コンテンツ情報Ａ＝１：再生開始時出力＝４Ｋコンテンツ、であると判定し、ステップＳ１０９に進んだ場合の処理について説明する。
ステップＳ１０９において、情報処理装置は、情報記録媒体から取得したコンテンツ情報Ｂ［４Ｋ＿ｃｏｎｔｅｎｔ＿ｅｘｉｓｔ＿ｆｌａｇ］の設定を判定する。すなわち、
コンテンツ情報Ｂ＝０：情報記録媒体が４Ｋコンテンツを含まない、
コンテンツ情報Ｂ＝１：情報記録媒体が４Ｋコンテンツを含む、
上記いずれの設定であるかを判定する。
この判定処理は、常に、
コンテンツ情報Ｂ＝１：情報記録媒体が４Ｋコンテンツを含む、
この判定となる。
コンテンツ情報Ａ＝１（初期出力＝４Ｋ）の場合、必ず、情報記録媒体には４Ｋコンテンツが含まれるからである。
従って、ステップＳ１０９の判定は常にＹｅｓとなりステップＳ１１０に進む。
【０１５４】
ステップＳ１１０において、情報処理装置は、コンテンツ表示を実行する表示装置が４Ｋ対応であるか４Ｋ非対応であるかを判定する。
この判定処理は、ステップＳ１０１において表示装置から取得し、記憶部（レジスタ）に格納した４Ｋ表示可否情報を参照して実行する。すなわち、例えば図８、図９を参照して説明したＰＳＲの格納情報である。
【０１５５】
ステップＳ１１０において、
表示装置が４Ｋ非対応の表示装置であると判定した場合は、ステップＳ１１１に進む。
一方、表示装置が４Ｋ対応の表示装置であると判定した場合は、ステップＳ１１２に進む。
【０１５６】
ステップＳ１１０において、表示装置が４Ｋ非対応の表示装置であると判定した場合は、ステップＳ１１１に進み、以下の処理を実行する。
ａ．表示装置に対する初期出力を２Ｋ（ＨＤ）の設定とする。
ｂ．メッセージＭ２を出力する。
【０１５７】
このステップＳ１１１の処理は、先に図５を参照して説明した（Ｃ１）の処理に対応する。すなわち、以下の設定に対応する処理である。
コンテンツ情報Ａ＝１（再生開始時出力＝４Ｋ）、
コンテンツ情報Ｂ＝１（情報記録媒体に４Ｋコンテンツを含む）
表示装置＝４Ｋ非対応、
これらの設定の場合、すなわち図５に示す（Ｃ１）の場合は、ステップＳ１１１に示す以下の処理を実行する。
ａ．表示装置に対する初期出力を２Ｋ（ＨＤ）の設定とする。
ｂ．メッセージＭ２を出力する。
これらの処理を実行する。なお、メッセージＭ２は、図６を参照して説明したメッセージＭ２である。すなわち、以下のメッセージである。
「ディスク記録コンテンツには、４Ｋコンテンツが含まれます。お使いのテレビは４Ｋ非対応です。４Ｋコンテンツは視聴できません。または画質を落として表示されます。」
上記メッセージを情報処理装置の制御の下で表示装置に出力する処理を実行する。
【０１５８】
なお、このステップＳ１１１では、再生開始時出力が４Ｋコンテンツであるが、
表示装置に対する初期出力を２Ｋ（ＨＤ）に設定することが必要であり、情報処理装置は、表示装置に対する出力に際してダウンコンバート処理（４Ｋ→２Ｋ）を行うことが必要となる。
【０１５９】
一方、ステップＳ１１０において、表示装置が４Ｋ対応の表示装置であると判定した場合は、ステップＳ１１２に進み、以下の処理を実行する。
ａ．表示装置に対する初期出力を４Ｋの設定とする。
ｂ．メッセージＭ３を出力する。
【０１６０】
このステップＳ１１２の処理は、先に図５を参照して説明した（Ｃ２）の処理に対応する。すなわち、以下の設定に対応する処理である。
コンテンツ情報Ａ＝０（再生開始時出力＝２Ｋ）、
コンテンツ情報Ｂ＝１（情報記録媒体に４Ｋコンテンツを含む）
表示装置＝４Ｋ対応、
これらの設定の場合、すなわち図５に示す（Ｃ２）の場合は、ステップＳ１１２に示す以下の処理を実行する。
ａ．表示装置に対する初期出力を４Ｋの設定とする。
ｂ．メッセージＭ３を出力する。
これらの処理を実行する。なお、メッセージＭ３は、図６を参照して説明したメッセージＭ３である。すなわち、以下のメッセージである。
「ディスク記録コンテンツには、４Ｋコンテンツが含まれます。お使いのテレビは４Ｋ対応です。全てのコンテンツを問題なく視聴できます。」
上記メッセージを情報処理装置の制御の下で表示装置に出力する処理を実行する。
【０１６１】
なお、図１０を参照して説明したシーケンスでは、図５に示す（Ａ１）〜（Ｃ２）の６パターンに対応する全ての場合においてユーザ（視聴者）に対するメッセージを表示するものとして説明したが、先に説明したように、メッセージ表示は、一部の場合にのみ実行する設定としてもよい。
例えば、問題なく視聴可能な場合のメッセージ（メッセージＭ１，Ｍ３）の表示は行わず、視聴に問題が発生する可能性がある場合のメッセージ（メッセージＭ２）のみを表示する設定としてもよい。
【０１６２】
このように、本開示の情報処理装置は、コンテンツの再生開始前の初期処理として、図１０に示すフローに従った処理を実行する。
この処理によって、例えば以下の効果が得られる。
（１）情報処理装置から表示装置に対する初期出力の設定、すなわち４Ｋコンテンツ出力とするか２Ｋコンテンツ出力とするかを情報記録媒体から読み出したコンテンツ情報Ａ［Ｉｎｉｔｉａｌ  ｏｕｔｐｕｔ＿ｐｒｅｆｅｒｅｎｃｅ］と、表示装置から取得した４Ｋ表示可否情報を参照して即座に決定することが可能となる。これにより、再生指示から再生開始までの待機時間を短縮することが可能となる。
（２）情報記録媒体から読み出したコンテンツ情報Ｂ［４Ｋ＿ｃｏｎｔｅｎｔ＿ｅｘｉｓｔ＿ｆｌａｇ］と、表示装置から取得した４Ｋ表示可否情報を参照して、即座に４Ｋコンテンツの表示可否判定が可能となる。これにより、４Ｋコンテンツの表示可否情報をメッセージとしてユーザに提示することが可能となる。
【０１６３】
［６．コンテンツ対応のダウンコンバート表示制御処理について］
次に、情報記録媒体１０１に格納されたコンテンツ単位の表示制御処理について説明する。情報処理装置（プレーヤ）１０２は、例えば以下の表示制御処理をコンテンツ単位で実行する。
（ａ）４Ｋ対応表示装置に対する４Ｋコンテンツ表示を許容するとともに、４Ｋ非対応表示装置に対しては、４Ｋコンテンツをダウンコンバートして生成した２Ｋコンテンツの表示を許容する。
（ｂ）４Ｋ対応表示装置に対する４Ｋコンテンツ表示のみを許容し、４Ｋ非対応表示装置に対する表示を許容しない。すなわち、ダウンコンバートした２Ｋコンテンツの表示を許容しない。
【０１６４】
例えば、情報記録媒体に格納する４Ｋコンテンツのコンテンツ製作者やコンテンツ提供者は、４Ｋコンテンツとしての表示のみを許可し、ダウンコンバートによって画質の劣化した２Ｋコンテンツを提示したくないという意向を持つ場合がある。
一方、４Ｋコンテンツとしての表示のみならず、ダウンコンバートして生成した２Ｋコンテンツを表示してもよいという意向を持つ場合もある。
このようにコンテンツ製作者やコンテンツ提供者の意向を反映させて、コンテンツ単位の再生制御を行う実施例について、以下説明する。
【０１６５】
図１１は、ダウンコンバート非許容４Ｋコンテンツ、すなわち、４Ｋコンテンツを２Ｋコンテンツにダウンコンバート（画素数低減変換）して表示することを許容しないコンテンツの再生態様を説明する図である。
情報処理装置（プレーヤ）１０２には、４Ｋコンテンツを格納した情報記録媒体１０１が装着され、コンテンツ再生が実行される。
【０１６６】
この情報記録媒体１０１に格納された４Ｋコンテンツは、２Ｋコンテンツにダウンコンバート（画素数低減変換）して表示することを許容しないダウンコンバート非許容コンテンツである。
ダウンコンバート非許容を示すコンテンツ再生制御情報はコンテンツ単位に設定される。例えば、先に図３を参照して説明した情報記録媒体１０１格納データ中の再生制御プログラム２０２に記録される。
【０１６７】
情報処理装置１０２は、例えばユーザによって再生指定されたタイトルに応じて、タイトル対応の再生制御プログラムを選択して実行して、選択タイトルに対応するコンテンツの再生を実行する。
この再生制御プログラムに、ダウンコンバート再生を許容するか否かの情報が記録され、情報処理装置１０２は、この情報に従って再生を実行する。
【０１６８】
図１１に示す例は、ダウンコンバート再生を許容しないコンテンツの再生例である。
情報処理装置（プレーヤ）１０２に接続された表示装置１０４ａが４Ｋコンテンツ表示可能な４Ｋ対応表示装置である場合、情報記録媒体１０１に格納された４Ｋコンテンツは、そのまま４Ｋコンテンツとして再生表示される。
【０１６９】
しかし、情報処理装置（プレーヤ）１０２に接続された表示装置１０４ｂが、４Ｋコンテンツ表示のできない４Ｋ非対応表示装置である場合、情報記録媒体１０１に格納された４Ｋコンテンツは、再生表示が行われない。
これは、指定コンテンツに対応する再生制御プログラムにダウンコンバート再生を許容しないとの情報が記録されているためである。情報処理装置１０２は、この情報に従って再生を実行または停止することになる。
【０１７０】
図１１に示す例では、情報処理装置１０２に接続された表示装置が４Ｋ対応表示装置である場合にのみ４Ｋコンテンツの再生を実行し、情報処理装置１０２に接続された表示装置が４Ｋ非対応表示装置である場合にはコンテンツ再生を実行しないことになる。
【０１７１】
なお、情報処理装置（プレーヤ）は、表示装置が４Ｋ対応であるか否かを、先に説明したように、例えば図８、図９に示す記憶部（レジスタ）であるＰＳＲに格納された４Ｋ表示可否情報を参照して判定する。
【０１７２】
なお、再生制御プログラム２０２は、例えばタイトル単位等、タイトル対応のコンテンツ単位に設定される。従って、例えばコンテンツ再生単位ごとに異なる再生制御が可能となる。
【０１７３】
一方、図１２に示す例は、ダウンコンバート再生を許容するコンテンツの再生例である。
情報処理装置（プレーヤ）１０２に接続された表示装置１０４ａが４Ｋコンテンツ表示可能な４Ｋ対応表示装置である場合、情報記録媒体１０１に格納された４Ｋコンテンツは、そのまま４Ｋコンテンツとして再生表示される。
【０１７４】
さらに、情報処理装置（プレーヤ）１０２に接続された表示装置１０４ｂが、４Ｋコンテンツ表示のできない４Ｋ非対応表示装置である場合、情報記録媒体１０１に格納された４Ｋコンテンツは、２Ｋコンテンツにダウンコンバートして２Ｋ（ＨＤ）コンテンツとして再生表示が行われる。
【０１７５】
これは、指定コンテンツに対応する再生制御プログラムにダウンコンバート再生を許容するとの情報が記録されているためである。情報処理装置１０２は、この情報に従って、４Ｋコンテンツ再生、または４Ｋコンテンツを２Ｋコンテンツにダウンコンバートして再生することになる。
【０１７６】
図１２に示す例では、情報処理装置１０２に接続された表示装置が４Ｋ対応表示装置である場合は４Ｋコンテンツとしての再生を実行し、情報処理装置１０２に接続された表示装置が４Ｋ非対応表示装置である場合には４Ｋコンテンツを２Ｋコンテンツにダウンコンバートして再生することになる。
【０１７７】
なお、表示装置が４Ｋ対応であるか否かは、先に説明したように、例えば図８、図９に示す記憶部（レジスタ）であるＰＳＲに格納された４Ｋ表示可否情報を参照して判定する。
【０１７８】
次に、図１３に示すフローチャートを参照して、情報処理装置１０２が実行するコンテンツ再生制御処理のシーケンスについて説明する。
【０１７９】
図１３に示すフローチャートは、コンテンツを格納した情報記録媒体１０１を装着した情報処理装置１０２のデータ処理部において実行される。図１３に示すフローに従った処理シーケンスを記録したプログラムは、情報処理装置１０２のメモリ、あるいはコンテンツを格納した情報記録媒体に格納されている。情報処理装置１０２は、メモリまたは情報記録媒体１０１から読み取ったプログラムに従って、図１３に示すフローチャートに従った処理を実行する。
【０１８０】
情報処理装置は、まずステップＳ２０１において、情報記録媒体からの再生コンテンツを表示する表示装置が４Ｋコンテンツを表示可能な４Ｋ対応装置であるか否かの情報を取得し、取得情報を記憶部（レジスタ）に格納する。
先に説明したように、例えばＨＤＭＩ（登録商標）ケーブルで接続された表示装置からＨＤＭＩ（登録商標）  ＥＤＩＤを取得して、取得情報に含まれる４Ｋ表示可否情報を記憶部に格納する。記憶部は、例えば図８、図９を参照して説明したＰＳＲである。
表示装置が４Ｋ対応であれば、ビット値：１
表示装置が４Ｋ非対応であれば、ビット値：０、
これらいずれかのビット値を格納する。
なお、表示装置から表示装置情報が得られない場合は、表示装置は４Ｋ非対応であると判定しビット値０を格納する。
【０１８１】
次に、ステップＳ２０２において、情報処理装置は、再生指定コンテンツに対応する再生制御プログラムを情報記録媒体から取得する。
この再生制御プログラムは、先に図３を参照して説明したように、例えばタイトル単位で設定された再生制御プログラムである。
例えばインデックステーブルに記録された複数のコンテンツタイトルからユーザが再生対象として選択したタイトルに対応する再生制御プログラムを、情報処理装置が選択して読み取る。
なお、図１３に示すフローに従った処理シーケンスにおいて、再生対象として選択されたコンテンツは４Ｋコンテンツであるものとする。
【０１８２】
次に、ステップＳ２０３において、情報処理装置は、コンテンツ表示を実行する表示装置が４Ｋコンテンツを表示可能な４Ｋ対応装置であるか４Ｋ非対応装置であるかを判定する。
この判定処理は、ステップＳ２０１において表示装置から取得し、記憶部（レジスタ）に格納した４Ｋ表示可否情報を参照して実行する。すなわち、図８、図９を参照して説明したＰＳＲの格納情報である。
【０１８３】
ステップＳ２０３において、
表示装置が４Ｋ対応の表示装置であると判定した場合は、ステップＳ２０４に進む。
一方、表示装置が４Ｋ非対応の表示装置であると判定した場合は、ステップＳ２０５に進む。
【０１８４】
ステップＳ２０３において、表示装置が４Ｋ対応の表示装置であると判定した場合は、ステップＳ２０４に進み、再生指定された４Ｋコンテンツを４Ｋコンテンツとして表示装置に出力し、４Ｋコンテンツの再生表示処理を実行する。
【０１８５】
一方、ステップＳ２０３において、表示装置が４Ｋ非対応の表示装置であると判定した場合は、ステップＳ２０５に進む。
ステップＳ２０５では、再生対象コンテンツに対応する再生制御プログラム中に設定された再生制御情報を取得し、再生制御情報の設定がダウンコンバート再生を許容しているか否かを判定する。
【０１８６】
再生制御情報の設定がダウンコンバート再生を許容している設定の場合は、ステップＳ２０６に進む。
再生制御情報の設定がダウンコンバート再生を許容していない設定の場合は、ステップＳ２０８に進む。
【０１８７】
ステップＳ２０５において、再生制御情報の設定がダウンコンバート再生を許容していると判定した場合は、ステップＳ２０６に進み、再生対象の４Ｋコンテンツのダウンコンバート処理を実行して、４Ｋコンテンツの画素数を低減した２Ｋコンテンツを生成する。
次に、ステップＳ２０７において、ダウンコンバート処理によって生成した２Ｋ（ＨＤ）コンテンツを表示装置に出力して再生表示する処理を実行する。
【０１８８】
一方、ステップＳ２０５において、再生制御情報の設定がダウンコンバート再生を許容していない設定であると判定した場合は、ステップＳ２０８に進む。
ステップＳ２０８において、情報処理装置は、表示装置に指定コンテンツの再生ができないことを示すメッセージを出力して表示する。
【０１８９】
表示メッセージの一例を図１４に示す。
メッセージは、図１４に示すように、例えば以下のメッセージである。
「お使いのテレビは、４Ｋコンテンツ非対応ですので、ご指定の４Ｋコンテンツは視聴できません」
【０１９０】
このように、本開示の情報処理装置は、４Ｋコンテンツの再生処理に際して、図１３に示すフローに従った処理を実行する。
この処理によって、４Ｋコンテンツについては、４Ｋコンテンツの制作者または提供者の意向に従って以下の処理をコンテンツ単位で選択的に実行させることが可能となる。
（ａ）４Ｋコンテンツとしての再生のみを許容し、ダウンコンバートした２Ｋコンテンツの再生表示を許容しない。
（ｂ）４Ｋコンテンツとしての再生を許容するとともに、ダウンコンバートした２Ｋコンテンツの再生表示も許容する。
これら（ａ），（ｂ）のいずれかの設定での再生制御をコンテンツ単位で実行することが可能となる。
【０１９１】
［７．情報処理装置の構成について］
次に、図１５を参照してコンテンツ再生を実行する情報処理装置（プレーヤ）のハードウェア構成例について説明する。図１５は、情報処理装置（プレーヤ）５００の構成例を示すブロック図である。図１５に示す情報処理装置（プレーヤ）５００は図１に示す情報処理装置（プレーヤ）１０２に対応する。
情報処理装置５００は、情報記録媒体５１０からのデータ再生を行う装置である。具体的には例えば、記録再生装置、プレーヤ装置、レコーダ装置、ビデオカメラ、ＰＣなどの装置である。
【０１９２】
なお、図１５には情報記録媒体５１０としてディスク型メディアを示しているが、メディアはディスク型メディアに限らず、フラッシュメモリなどのメディアでもよい。
【０１９３】
情報処理装置５００は、図１５に示すように、データ処理部（記録再生制御部）５０１、記憶部５０２、メディアインタフェース５０３、入力部５０４、出力部５０５、表示装置入出力部５０６を有する。
【０１９４】
データ処理部５０１は、様々なデータ処理プログラムを実行するプログラム実行機能を持つＣＰＵを有する。例えばデータ再生処理を行うアプリケーションプログラムなどを実行する。さらに。例えば、図１０や図１３を参照して説明したフローチャートに従った処理を実行する。
【０１９５】
メモリ５０２は、ＲＡＭ，ＲＯＭ等によって構成され、データ処理部５０１において実行するプログラムなどの格納領域として利用される。またメモリ５０２は、プログラム実行用のパラメータ、ワーク領域としても利用され、さらに、メディア記録データのバッファ領域などとしても利用される。
先に図７〜図９を参照して説明したレジスタ（ＰＳＲ）も記憶部５０２の構成要素の１つである。
【０１９６】
メディアインタフェース５０３は、情報記録媒体５１０を利用したデータ再生処理に適用されるインタフェースである。データ処理部５０１の要求に従って、データを情報記録媒体５１０から読み取る処理などを行う。
【０１９７】
入力部５０４は、例えばユーザの操作部であり、データ記録または再生指示の入力など、様々な入力が行われる。なお、入力部５０４にはリモコン５０７からの操作情報も入力する。
出力部５０４は、情報処理装置に備えられたディスプレイ等によって構成される出力部である。
【０１９８】
表示装置入出力部５０６は、例えばＨＤＭＩ（登録商標）ケーブルによって表示装置５２０とのデータ入出力を実行する。
表示装置５２０が４Ｋ対応であるか否か等の表示装置情報の取得処理や、再生コンテンツの出力などに利用される。
【０１９９】
［８．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０２００】
なお、本明細書において開示した技術は、以下のような構成をとることができる。
（１）情報記録媒体の記録コンテンツの再生処理を実行するデータ処理部を有し、
前記データ処理部は、
前記情報記録媒体の記録コンテンツ中、表示装置に最初に出力する再生開始時出力が４Ｋコンテンツであるか２Ｋコンテンツであるかを示すコンテンツ情報Ａを前記情報記録媒体から読み取り、
コンテンツ情報Ａの示す再生開始時出力態様に応じて、表示装置に対するデータ出力設定処理を実行する情報処理装置。
【０２０１】
（２）前記データ処理部は、前記コンテンツ情報Ａが、４Ｋコンテンツの再生開始時出力を有することを示す場合、表示装置に対するデータ出力設定を４Ｋコンテンツの出力設定とし、前記コンテンツ情報Ａが、２Ｋコンテンツの再生開始時出力を有することを示す場合、表示装置に対するデータ出力設定を２Ｋコンテンツの出力設定とする（１）に記載の情報処理装置。
【０２０２】
（３）前記データ処理部は、前記情報記録媒体の記録コンテンツ中に４Ｋコンテンツを含むか否かを示すコンテンツ情報Ｂを前記情報記録媒体から読み取り、コンテンツ情報Ｂの設定に応じたメッセージを前記表示装置に出力する（１）または（２）に記載の情報処理装置。
【０２０３】
（４）前記データ処理部は、前記表示装置が４Ｋコンテンツを表示可能な４Ｋ対応表示装置であるか否かの確認処理を実行し、該確認処理の結果と前記コンテンツ情報Ｂの組み合わせに応じたメッセージを選択して前記表示装置に出力する（３）に記載の情報処理装置。
【０２０４】
（５）前記データ処理部は、前記表示装置から表示装置が４Ｋコンテンツを表示可能な４Ｋ対応表示装置であるか否かを示す４Ｋ表示可否情報を取得して記憶部に格納する処理を実行し、前記記憶部に格納した４Ｋ表示可否情報を取得して前記確認処理を実行する（４）に記載の情報処理装置。
【０２０５】
（６）情報記録媒体の記録コンテンツの再生処理を実行するデータ処理部を有し、
前記データ処理部は、
情報記録媒体の記録コンテンツの表示処理を実行する表示装置から該表示装置が４Ｋコンテンツを表示可能な４Ｋ対応表示装置であるか否かを示す４Ｋ表示可否情報を取得して記憶部に格納し、
前記記憶部に格納した４Ｋ表示可否情報に従って、表示装置に対するデータ出力設定の変更処理と、メッセージ出力処理を実行する情報処理装置。
【０２０６】
（７）前記データ処理部は、前記４Ｋ表示可否情報を、再生制御バラメータを格納するレジスタに格納する（６）に記載の情報処理装置。
【０２０７】
（８）前記データ処理部は、前記情報記録媒体の記録コンテンツ中、表示装置に最初に出力する再生開始時出力が４Ｋコンテンツであるか２Ｋコンテンツであるかを示すコンテンツ情報Ａを前記情報記録媒体から読み取り、前記４Ｋ表示可否情報と、前記コンテンツ情報Ａの示す再生開始時出力態様に応じて、表示装置に対するデータ出力設定処理を実行する（６）または（７）に記載の情報処理装置。
【０２０８】
（９）前記データ処理部は、前記情報記録媒体の記録コンテンツ中に４Ｋコンテンツを含むか否かを示すコンテンツ情報Ｂを前記情報記録媒体から読み取り、前記４Ｋ表示可否情報と、前記コンテンツ情報Ｂの設定に応じたメッセージを前記表示装置に出力する（６）〜（８）いずれかに記載の情報処理装置。
【０２０９】
（１０）情報記録媒体の記録コンテンツの再生処理を実行するデータ処理部を有し、
前記データ処理部は、
前記情報記録媒体から、情報記録媒体の記録コンテンツのダウンコンバート処理を許容するか否かを示すダウンコンバート許容情報を取得し、取得したダウンコンバート許容情報に応じて、表示装置に対する出力コンテンツのダウンコンバート処理を実行するか否かを決定する情報処理装置。
【０２１０】
（１１）前記データ処理部は、前記表示装置が４Ｋコンテンツを表示可能な４Ｋ対応表示装置であるか否かの確認処理を実行し、該確認処理の結果と前記ダウンコンバート許容情報の設定に応じて、表示装置に対する出力コンテンツのダウンコンバート処理を実行するか否かを決定する（１０）に記載の情報処理装置。
【０２１１】
（１２）４Ｋコンテンツまたは２Ｋコンテンツの少なくともいずれかのコンテンツと、
記録コンテンツ中、表示装置に最初に出力する再生開始時出力が４Ｋコンテンツであるか２Ｋコンテンツであるかを示すコンテンツ情報Ａを記録情報として有する情報記録媒体。
【０２１２】
（１３）４Ｋコンテンツまたは２Ｋコンテンツの少なくともいずれかのコンテンツと、
記録コンテンツ中に４Ｋコンテンツが含まれるか否かを示すコンテンツ情報Ｂを記録情報として有する情報記録媒体。
【０２１３】
（１４）４Ｋコンテンツまたは２Ｋコンテンツの少なくともいずれかのコンテンツと、
記録コンテンツ中の４Ｋコンテンツに関する再生制御情報として、ダウンコンバート表示処理を許容するか否かを示すダウンコンバート許容情報を記録情報として有する情報記録媒体。
【０２１４】
（１５）情報処理装置において実行する情報処理方法であり、
データ処理部が、情報記録媒体の記録コンテンツ中、表示装置に最初に出力する再生開始時出力が４Ｋコンテンツであるか２Ｋコンテンツであるかを示すコンテンツ情報Ａを前記情報記録媒体から読み取り、
コンテンツ情報Ａの示す再生開始時出力態様に応じて、表示装置に対するデータ出力設定処理を実行する情報処理方法。
【０２１５】
（１６）情報処理装置において実行する情報処理方法であり、
データ処理部が、情報記録媒体の記録コンテンツの表示処理を実行する表示装置から該表示装置が４Ｋコンテンツを表示可能な４Ｋ対応表示装置であるか否かを示す４Ｋ表示可否情報を取得して記憶部に格納し、
前記記憶部に格納した４Ｋ表示可否情報に従って、表示装置に対するデータ出力設定の変更処理と、メッセージ出力処理を実行する情報処理方法。
【０２１６】
（１７）情報処理装置において実行する情報処理方法であり、
データ処理部が、情報記録媒体から情報記録媒体の記録コンテンツのダウンコンバート処理を許容するか否かを示すダウンコンバート許容情報を取得し、取得したダウンコンバート許容情報に応じて、表示装置に対する出力コンテンツのダウンコンバート処理を実行するか否かを決定する情報処理方法。
【０２１７】
（１８）情報処理装置において情報処理を実行させるプログラムであり、
データ処理部に、情報記録媒体の記録コンテンツ中、表示装置に最初に出力する再生開始時出力が４Ｋコンテンツであるか２Ｋコンテンツであるかを示すコンテンツ情報Ａを前記情報記録媒体から読み取る処理と、
コンテンツ情報Ａの示す再生開始時出力態様に応じて、表示装置に対するデータ出力設定処理を実行させるプログラム。
【０２１８】
（１９）情報処理装置において情報処理を実行させるプログラムであり、
データ処理部に、情報記録媒体の記録コンテンツの表示処理を実行する表示装置から該表示装置が４Ｋコンテンツを表示可能な４Ｋ対応表示装置であるか否かを示す４Ｋ表示可否情報を取得して記憶部に格納する処理と、
前記記憶部に格納した４Ｋ表示可否情報に従って、表示装置に対するデータ出力設定の変更処理と、メッセージ出力処理を実行させるプログラム。
【０２１９】
（２０）情報処理装置において情報処理を実行させるプログラムであり、
データ処理部に、情報記録媒体から情報記録媒体の記録コンテンツのダウンコンバート処理を許容するか否かを示すダウンコンバート許容情報を取得する処理と、
取得したダウンコンバート許容情報に応じて、表示装置に対する出力コンテンツのダウンコンバート処理を実行するか否かを決定する処理を実行させるプログラム。
【０２２０】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０２２１】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０２２２】
以上、説明したように、本開示の一実施例の構成によれば、情報記録媒体の記録コンテンツの出力制御処理や、表示可否メッセージ等の出力処理を正確かつ効率的に実行する装置、方法が実現される。
具体的には、例えば、情報記録媒体の記録コンテンツ中、表示装置に最初に出力する再生開始時出力が４Ｋコンテンツか２Ｋコンテンツかを示すコンテンツ情報Ａと、情報記録媒体の記録コンテンツ中に４Ｋコンテンツを含むか否かを示すコンテンツ情報Ｂを情報記録媒体から読み取る。さらに。表示装置が４Ｋ対応か否かを示す４Ｋ表示可否情報を表示装置から受領してレジスタに格納する。これらのコンテンツ情報Ａ、Ｂ、および４Ｋ表示可否情報を適用することで、コンテンツの出力制御処理や、表示可否メッセージ出力処理を正確にかつ効率的に実行することが可能となる。
【符号の説明】
【０２２３】
１０１  情報記録媒体
１０２  情報処理装置（プレーヤ）
１０３  操作部（リモコン）
１０４  表示装置
１０５  接続ケーブル
２０１  インデックステーブル
２０２  再生制御プログラム
２０３  プレイリスト
２０４  クリップ情報
２０５  クリップＡＶストリーム
３０１  コンテンツ情報Ａ
３０２  コンテンツ情報Ｂ
４０１  記憶部（レジスタ）
４２１  ４Ｋ表示可否情報
４２２  ４Ｋ表示可否情報
５００  情報処理装置（プレーヤ）
５０１  データ処理部
５０２  記憶部
５０３  メディアインタフェース
５０４  入力部
５０５  出力部
５０６  表示装置入出力部
５０７  リモコン
５１０  情報記録媒体
５２０  表示装置
【図１】
2015022775.tif 000003
【図２】
2015022775.tif 000004
【図３】
2015022775.tif 000005
【図４】
2015022775.tif 000006
【図５】
2015022775.tif 000007
【図６】
2015022775.tif 000008
【図７】
2015022775.tif 000009
【図８】
2015022775.tif 000010
【図９】
2015022775.tif 000011
【図１０】
2015022775.tif 000012
【図１１】
2015022775.tif 000013
【図１２】
2015022775.tif 000014
【図１３】
2015022775.tif 000015
【図１４】
2015022775.tif 000016
【図１５】
2015022775.tif 000017